(57)【要約】  基準信号が、比較的低い帯域幅で高精度のポジション決定を可能にするために、拡張された帯域幅利用を提供し得る。所与の割り振られた帯域幅について、基準信号は、複数のサブバンドを使用することによって、割り振られた帯域幅の一部分のみを使用し得る。いくつかのケースでは、サブバンドは、ガボール帯域幅を最大化するために、割り振られた帯域のエッジ近くにあり得る。【選択図】図６
2021509247.tif 000002
【特許請求の範囲】
【請求項１】
ワイヤレス電気通信ネットワークにおける基地局を用いて基準信号を提供する方法であって、前記方法は、
その間に第１の基準信号が割り振られた周波数帯域上で送信されることになる、１つまたは複数のリソースブロックの、１つまたは複数のシンボルを決定することと、前記割り振られた周波数帯域は、中心周波数を中心とし、最小周波数と最大周波数とを有し、
前記基地局を用いておよび前記決定された１つまたは複数のシンボル中に、前記第１の基準信号の電力が前記割り振られた周波数帯域の複数の不連続サブバンドを占有するように、前記割り振られた周波数帯域の第１の部分上で前記第１の基準信号を送信することと、前記割り振られた周波数帯域の前記複数の不連続サブバンドは、前記割り振られた周波数帯域の帯域幅より少ない総帯域幅を有する、
を備える、方法。
【請求項２】
前記ワイヤレス電気通信ネットワークは、第５世代（５Ｇ）セルラネットワークを備える、請求項１に記載の方法。
【請求項３】
前記複数の不連続サブバンドは、下側サブバンドと上側サブバンドとの間の、前記割り振られた周波数帯域内の帯域幅を有する、前記下側サブバンドと前記上側サブバンドとを備え、前記下側サブバンドの帯域幅は、前記上側サブバンドの帯域幅と実質的に同じである、請求項１に記載の方法。
【請求項４】
前記下側サブバンドと前記上側サブバンドとの間の、前記割り振られた周波数帯域内の前記帯域幅は、前記下側サブバンドまたは前記上側サブバンドのいずれかの帯域幅より大きい、請求項３に記載の方法。
【請求項５】
前記下側サブバンドと前記上側サブバンドとの間の、前記割り振られた周波数帯域内の前記帯域幅は、組み合わされた帯域幅すなわち前記下側サブバンドおよび前記上側サブバンドと実質的に同じである、請求項４に記載の方法。
【請求項６】
第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信することをさらに備える、請求項１に記載の方法。
【請求項７】
第１の周期性で、前記割り振られた周波数帯域の前記第１の部分上で前記第１の基準信号を送信することと、前記第１の周期性とは異なる第２の周期性で、前記割り振られた周波数帯域の前記第２の部分上で前記第２の基準信号を送信することとをさらに備える、請求項６に記載の方法。
【請求項８】
前記第１の基準信号を送信することは、Ｚａｄｏｆｆ−Ｃｈｕコードを用いて前記基準信号を符号化することを備える、請求項１に記載の方法。
【請求項９】
その間に前記第１の基準信号が前記割り振られた周波数帯域上で送信されることになる、前記１つまたは複数のリソースブロックの、前記１つまたは複数のシンボルを決定することは、ロケーションサーバから、前記割り振られた周波数帯域のインジケーションを受信することをさらに備える、請求項１に記載の方法。
【請求項１０】
前記割り振られた周波数帯域の前記インジケーションは、
前記複数の不連続サブバンドの各サブバンドについてのオフセット、
前記複数の不連続サブバンドの各サブバンドについての帯域幅、
前記第１の基準信号の周期性、
前記第１の基準信号の持続時間、または
これらの任意の組合せ、
のインジケーションを備える、請求項９に記載の方法。
【請求項１１】
基地局であって、
ワイヤレス通信インターフェースと、
メモリと、
前記ワイヤレス通信インターフェースおよび前記メモリと通信可能に結合され、かつ、
その間に第１の基準信号が割り振られた周波数帯域上で送信されることになる、１つまたは複数のリソースブロックの、１つまたは複数のシンボルを決定することと、前記割り振られた周波数帯域は、中心周波数を中心とし、最小周波数と最大周波数とを有し、
前記ワイヤレス通信インターフェースを用いておよび前記決定された１つまたは複数のシンボル中に、前記第１の基準信号の電力が前記割り振られた周波数帯域の複数の不連続サブバンドを占有するように、前記割り振られた周波数帯域の第１の部分上で前記第１の基準信号を送信することと、前記割り振られた周波数帯域の前記複数の不連続サブバンドは、前記割り振られた周波数帯域の帯域幅より少ない総帯域幅を有する、
を行うように構成された処理ユニットと
を備える基地局。
【請求項１２】
前記基地局は、第５世代（５Ｇ）セルラネットワークを備えるワイヤレス電気通信ネットワークに組み込まれるように構成される、請求項１１に記載の基地局。
【請求項１３】
前記複数の不連続サブバンドは、下側サブバンドと上側サブバンドとの間の、前記割り振られた周波数帯域内の帯域幅を有する、前記下側サブバンドと前記上側サブバンドとを備え、前記下側サブバンドの帯域幅は、前記上側サブバンドの帯域幅と実質的に同じである、請求項１１に記載の基地局。
【請求項１４】
前記下側サブバンドと前記上側サブバンドとの間の、前記割り振られた周波数帯域内の前記帯域幅は、前記下側サブバンドまたは前記上側サブバンドのいずれかの帯域幅より大きい、請求項１３に記載の基地局。
【請求項１５】
前記下側サブバンドと前記上側サブバンドとの間の、前記割り振られた周波数帯域内の前記帯域幅は、組み合わされた帯域幅すなわち前記下側サブバンドおよび前記上側サブバンドと実質的に同じである、請求項１４に記載の基地局。
【請求項１６】
前記処理ユニットは、第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信するようにさらに構成される、請求項１１に記載の基地局。
【請求項１７】
前記処理ユニットは、第１の周期性で、前記割り振られた周波数帯域の前記第１の部分上で前記第１の基準信号を送信することと、前記第１の周期性とは異なる第２の周期性で、前記割り振られた周波数帯域の前記第２の部分上で前記第２の基準信号を送信することとを行うようにさらに構成される、請求項１６に記載の基地局。
【請求項１８】
前記処理ユニットは、少なくとも部分的に、Ｚａｄｏｆｆ−Ｃｈｕコードを用いて前記第１の基準信号を符号化することによって、前記第１の基準信号を送信するように構成される、請求項１１に記載の基地局。
【請求項１９】
前記処理ユニットは、さらに少なくとも部分的に、ロケーションサーバから、前記割り振られた周波数帯域のインジケーションを受信することによって、その間に前記第１の基準信号が前記割り振られた周波数帯域上で送信されることになる、前記１つまたは複数のリソースブロックの、前記１つまたは複数のシンボルを決定するように構成される、請求項１１に記載の基地局。
【請求項２０】
前記処理ユニットは、
前記複数の不連続サブバンドの各サブバンドについてのオフセット、
前記複数の不連続サブバンドの各サブバンドについての帯域幅、
前記第１の基準信号の周期性、
前記第１の基準信号の持続時間、または
これらの任意の組合せ、
のインジケーションを備える、前記割り振られた周波数帯域の前記インジケーションを受信するように構成される、請求項１９に記載の基地局。
【請求項２１】
デバイスであって、
その間に第１の基準信号が割り振られた周波数帯域上で送信されることになる、１つまたは複数のリソースブロックの、１つまたは複数のシンボルを決定するための手段と、前記割り振られた周波数帯域は、中心周波数を中心とし、最小周波数と最大周波数とを有し、
前記決定された１つまたは複数のシンボル中に、前記第１の基準信号の電力が前記割り振られた周波数帯域の複数の不連続サブバンドを占有するように、前記割り振られた周波数帯域の第１の部分上で前記第１の基準信号を送信するための手段と、前記割り振られた周波数帯域の前記複数の不連続サブバンドは、前記割り振られた周波数帯域の帯域幅より少ない総帯域幅を有する、
を備えるデバイス。
【請求項２２】
第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信するための手段をさらに備える、請求項２１に記載のデバイス。
【請求項２３】
第１の周期性で、前記割り振られた周波数帯域の前記第１の部分上で前記第１の基準信号を送信し、前記第１の周期性とは異なる第２の周期性で、前記割り振られた周波数帯域の前記第２の部分上で前記第２の基準信号を送信するための手段をさらに備える、請求項２２に記載のデバイス。
【請求項２４】
前記第１の基準信号を前記送信するための手段は、Ｚａｄｏｆｆ−Ｃｈｕコードを用いて前記基準信号を符号化するための手段を備える、請求項２１に記載のデバイス。
【請求項２５】
ワイヤレス電気通信ネットワークにおける基地局から受信される基準信号を検出する方法であって、前記方法は、
ユーザ機器（ＵＥ）を用いて、その間に前記基準信号が割り振られた周波数帯域を介して送信されることになる、１つまたは複数のリソースブロックの、１つまたは複数のシンボルを決定することと、前記割り振られた周波数帯域は、中心周波数を中心とし、最小周波数と最大周波数とを有し、
前記ＵＥを用いておよび前記決定された１つまたは複数のシンボル中に、前記割り振られた周波数帯域の一部分上で前記基準信号を受信することと、ここにおいて、前記基準信号の電力は、前記割り振られた周波数帯域の複数の不連続サブバンドを占有し、前記割り振られた周波数帯域の前記複数の不連続サブバンドは、前記割り振られた周波数帯域の前記帯域幅より少ない総帯域幅を有し、
前記ＵＥを用いて前記基準信号を処理することと
を備える、方法。
【請求項２６】
前記基準信号を処理することは、所定のコードを用いて前記信号の相互相関を実行することを備える、請求項２５に記載の方法。
【請求項２７】
前記基準信号を前記処理することに基づいて、前記基準信号が前記ＵＥによって受信された時間を決定することをさらに備える、請求項２５に記載の方法。
【請求項２８】
その間に前記基準信号が送信されることになる、前記１つまたは複数のリソースブロックの、前記１つまたは複数のシンボルを決定することは、ロケーションサーバから、前記割り振られた周波数帯域のインジケーションを受信することをさらに備える、請求項２５に記載の方法。
【請求項２９】
前記割り振られた周波数帯域の前記インジケーションは、
前記複数の不連続サブバンドの各サブバンドについてのオフセット、
前記複数の不連続サブバンドの各サブバンドについての帯域幅、
前記基準信号の周期性、
前記基準信号の持続時間、または
これらの任意の組合せ、
のインジケーションを備える、請求項２８に記載の方法。
【請求項３０】
ユーザ機器（ＵＥ）であって、
ワイヤレス通信インターフェースと、
メモリと、
前記ワイヤレス通信インターフェースおよび前記メモリと通信可能に結合され、かつ、
その間に基準信号が、割り振られた周波数帯域を介して、ワイヤレス電気通信ネットワークにおける基地局によって送信されることになる、１つまたは複数のリソースブロックの、１つまたは複数のシンボルを決定することと、前記割り振られた周波数帯域は、中心周波数を中心とし、最小周波数と最大周波数とを有し、
前記決定された１つまたは複数のシンボル中に、前記割り振られた周波数帯域の一部分上で前記基準信号を受信することと、ここにおいて、前記基準信号の電力は、前記割り振られた周波数帯域の複数の不連続サブバンドを占有し、前記割り振られた周波数帯域の前記複数の不連続サブバンドは、前記割り振られた周波数帯域の前記帯域幅より少ない総帯域幅を有し、
前記基準信号を処理することと
を行うように構成された処理ユニットと
を備えるＵＥ。
【請求項３１】
前記処理ユニットは、少なくとも部分的に、所定のコードを用いて前記信号の相互相関を実行することによって、前記基準信号を処理するように構成される、請求項３０に記載のＵＥ。
【請求項３２】
前記処理ユニットは、前記基準信号を前記処理することに基づいて、前記基準信号が前記ＵＥによって受信された時間を決定するように構成される、請求項３０に記載のＵＥ。
【請求項３３】
前記処理ユニットは、さらに少なくとも部分的に、ロケーションサーバから、前記割り振られた周波数帯域のインジケーションを受信することによって、その間に前記基準信号が送信されることになる、前記１つまたは複数のリソースブロックの、前記１つまたは複数のシンボルを決定するように構成される、請求項３０に記載のＵＥ。
【請求項３４】
前記処理ユニットは、
前記複数の不連続サブバンドの各サブバンドについてのオフセット、
前記複数の不連続サブバンドの各サブバンドについての帯域幅、
前記基準信号の周期性、
前記基準信号の持続時間、または
これらの任意の組合せ、
のインジケーションを備える、前記割り振られた周波数帯域の前記インジケーションを受信するように構成される、請求項３３に記載のＵＥ。
【請求項３５】
デバイスであって、
その間に基準信号が、割り振られた周波数帯域を介して、ワイヤレス電気通信ネットワークにおける基地局によって送信されることになる、１つまたは複数のリソースブロックの、１つまたは複数のシンボルのための手段と、前記割り振られた周波数帯域は、中心周波数を中心とし、最小周波数と最大周波数とを有し、
前記決定された１つまたは複数のシンボル中に、前記割り振られた周波数帯域の一部分上で前記基準信号を受信するための手段と、ここにおいて、前記基準信号の電力は、前記割り振られた周波数帯域の複数の不連続サブバンドを占有し、前記割り振られた周波数帯域の前記複数の不連続サブバンドは、前記割り振られた周波数帯域の前記帯域幅より少ない総帯域幅を有し、
前記基準信号を処理するための手段と
を備えるデバイス。
【請求項３６】
前記基準信号を前記処理するための手段は、所定のコードを用いて前記信号の相互相関を実行するための手段を備える、請求項３５に記載のデバイス。
【請求項３７】
前記基準信号を前記処理することに基づいて、前記基準信号が前記デバイスによって受信された時間を決定するための手段をさらに備える、請求項３５に記載のデバイス。
【請求項３８】
ロケーションサーバから、前記割り振られた周波数帯域のインジケーションを受信することをさらに備える、その間に前記基準信号が送信されることになる、前記１つまたは複数のリソースブロックの、前記１つまたは複数のシンボルを決定するための手段をさらに備える、請求項３５に記載のデバイス。
【発明の詳細な説明】
【背景技術】
【０００１】
１．分野
[0001]本明細書で開示される主題は、電子デバイスに関し、より詳細には、第５世代（５Ｇ）ワイヤレスネットワークを使用してモバイルデバイスの位置特定（location）をサポートするために使用するための方法および装置に関する。
【０００２】
２．情報
[0002]ワイヤレスネットワークにアクセスしているモバイルデバイスのロケーションまたはポジションを取得することは、例えば、緊急呼出し、パーソナルナビゲーション、資産管理、友人または家族の一員を位置特定することなどを含む、多くのアプリケーションに有用であり得る。既存の測位方法は、衛星ビークル（ＳＶ）と、基地局およびアクセスポイントなどのワイヤレスネットワークにおける地上無線ソースとを含む、様々なデバイスから送信された無線信号を測定することに基づく方法を含む。新しい第５世代（５Ｇ）ワイヤレスネットワークのための標準化は、現在、ロングタームエボリューション（ＬＴＥ（登録商標））ワイヤレスネットワークが、ポジション決定のために測位基準信号（ＰＲＳ：Positioning Reference Signals）、セル固有基準信号（ＣＲＳ：Cell-specific Reference Signals）、および／またはトラッキング基準信号（ＴＲＳ：Tracking Reference Signals）を利用するのと同様の方法で、基地局によって送信された基準信号を利用し得る、様々な測位方法のためのサポートを含むことが予期される。しかしながら、ＰＲＳ、ＣＲＳ、およびＴＲＳ信号は、多くの点で制限されている。
【発明の概要】
【０００３】
[0003]本明細書で提供される実施形態は、５Ｇにおいて使用され得かつこれらの制限の多くを克服する基準信号（本明細書では、測位測定信号とも呼ばれる）に向けられる。より具体的には、実施形態は、基準信号の拡張された帯域幅利用を提供し、比較的低い帯域幅で高精度のポジション決定を可能にする。所与の割り振られた帯域幅について、本明細書で説明される実施形態は、割り振られた帯域幅の一部分のみの利用を提供する。いくつかのケースでは、割り振られた帯域のエッジの近くの複数のサブバンドが、ガボール帯域幅（Gabor bandwidth）（ＢＷ）を最大化するために使用され得、これは、帯域幅全体が利用された場合と同じ精度でのポジション決定を可能にするのに役立ち得る。
【０００４】
[0004]本説明による、ワイヤレス電気通信ネットワークにおける基地局を用いて基準信号を提供する例となる方法が、その間に第１の基準信号が割り振られた周波数帯域上で送信されることになる、１つまたは複数のリソースブロックの、１つまたは複数のシンボルを決定することを備え、割り振られた周波数帯域は、中心周波数を中心とし、最小周波数と最大周波数とを有する。方法は、基地局を用いておよび決定された１つまたは複数のシンボル中に、第１の基準信号の電力が割り振られた周波数帯域の複数の不連続サブバンドを占有するように、割り振られた周波数帯域の第１の部分上で第１の基準信号を送信することをさらに備え、割り振られた周波数帯域の複数の不連続サブバンドは、割り振られた周波数帯域の帯域幅より少ない総帯域幅を有する。
【０００５】
[0005]方法の実施形態は、追加として、以下の特徴のうちの１つまたは複数を備え得る。ワイヤレス電気通信ネットワークは、第５世代（５Ｇ）セルラネットワークを備え得る。複数の不連続サブバンドは、下側サブバンドと上側サブバンドとの間の、割り振られた周波数帯域内の帯域幅を有する、下側サブバンドと上側サブバンドとを備え得、下側サブバンドの帯域幅は、上側サブバンドの帯域幅と実質的に同じである。下側サブバンドと上側サブバンドとの間の、割り振られた周波数帯域内の帯域幅は、下側サブバンドまたは上側サブバンドのいずれかの帯域幅より大きくなり得る。下側サブバンドと上側サブバンドとの間の、割り振られた周波数帯域内の帯域幅は、組み合わされた帯域幅すなわち下側サブバンドおよび上側サブバンドと実質的に同じであり得る。方法は、第２の基準信号の電力が、割り振られた周波数帯域の複数の不連続サブバンドとは異なる、割り振られた周波数帯域の１つまたは複数のサブバンドを占有するように、割り振られた周波数帯域の第２の部分上で第２の基準信号を送信することをさらに備え得る。方法は、第１の周期性で、割り振られた周波数帯域の第１の部分上で第１の基準信号を送信することと、第１の周期性とは異なる第２の周期性で、割り振られた周波数帯域の第２の部分上で第２の基準信号を送信することと、をさらに備え得る。第１の基準信号を送信することは、Ｚａｄｏｆｆ−Ｃｈｕコードを用いて基準信号を符号化することを備え得る。その間に第１の基準信号が割り振られた周波数帯域上で送信されることになる、１つまたは複数のリソースブロックの、１つまたは複数のシンボルを決定することは、ロケーションサーバから、割り振られた周波数帯域のインジケーションを受信することをさらに備え得る。割り振られた周波数帯域のインジケーションは、複数の不連続サブバンドの各サブバンドについてのオフセット、複数の不連続サブバンドの各サブバンドについての帯域幅、第１の基準信号の周期性、第１の基準信号の持続時間、またはこれらの任意の組合せのインジケーションを備える。
【０００６】
[0006]本説明による、例となる基地局が、ワイヤレス通信インターフェースと、メモリと、ワイヤレス通信インターフェースおよびメモリと通信可能に結合された処理ユニットとを備える。処理ユニットは、その間に第１の基準信号が割り振られた周波数帯域上で送信されることになる、１つまたは複数のリソースブロックの、１つまたは複数のシンボルを決定するように構成され、割り振られた周波数帯域は、中心周波数を中心とし、最小周波数と最大周波数とを有する。処理ユニットは、ワイヤレス通信インターフェースを用いておよび決定された１つまたは複数のシンボル中に、第１の基準信号の電力が割り振られた周波数帯域の複数の不連続サブバンドを占有するように、割り振られた周波数帯域の第１の部分上で第１の基準信号を送信するようにさらに構成され、割り振られた周波数帯域の複数の不連続サブバンドは、割り振られた周波数帯域の帯域幅より少ない総帯域幅を有する。
【０００７】
[0007]基地局の実施形態は、追加として、以下の特徴のうちの１つまたは複数を備え得る。基地局は、第５世代（５Ｇ）セルラネットワークを備えるワイヤレス電気通信ネットワークに組み込まれるように構成され得る。複数の不連続サブバンドは、下側サブバンドと上側サブバンドとの間の、割り振られた周波数帯域内の帯域幅を有する、下側サブバンドと上側サブバンドとを備え得、下側サブバンドの帯域幅は、上側サブバンドの帯域幅と実質的に同じである。下側サブバンドと上側サブバンドとの間の、割り振られた周波数帯域内の帯域幅は、下側サブバンドまたは上側サブバンドのいずれかの帯域幅より大きくなり得る。下側サブバンドと上側サブバンドとの間の、割り振られた周波数帯域内の帯域幅は、組み合わされた帯域幅すなわち下側サブバンドおよび上側サブバンドと実質的に同じであり得る。処理ユニットは、第２の基準信号の電力が、割り振られた周波数帯域の複数の不連続サブバンドとは異なる、割り振られた周波数帯域の１つまたは複数のサブバンドを占有するように、割り振られた周波数帯域の第２の部分上で第２の基準信号を送信するようにさらに構成され得る。処理ユニットは、第１の周期性で、割り振られた周波数帯域の第１の部分上で第１の基準信号を送信することと、第１の周期性とは異なる第２の周期性で、割り振られた周波数帯域の第２の部分上で第２の基準信号を送信することと、を行うようにさらに構成され得る。処理ユニットは、少なくとも部分的に、Ｚａｄｏｆｆ−Ｃｈｕコードを用いて第１の基準信号を符号化することによって、第１の基準信号を送信するように構成され得る。処理ユニットは、さらに少なくとも部分的に、ロケーションサーバから、割り振られた周波数帯域のインジケーションを受信することによって、その間に第１の基準信号が割り振られた周波数帯域上で送信されることになる、１つまたは複数のリソースブロックの、１つまたは複数のシンボルを決定するように構成され得る。処理ユニットは、複数の不連続サブバンドの各サブバンドについてのオフセット、複数の不連続サブバンドの各サブバンドについての帯域幅、第１の基準信号の周期性、第１の基準信号の持続時間、またはこれらの任意の組合せのインジケーションを備える、割り振られた周波数帯域のインジケーションを受信するように構成され得る。
【０００８】
[0008]本説明による、例となるデバイスが、その間に第１の基準信号が割り振られた周波数帯域上で送信されることになる、１つまたは複数のリソースブロックの、１つまたは複数のシンボルを決定するための手段を備え、割り振られた周波数帯域は、中心周波数を中心とし、最小周波数と最大周波数とを有する。デバイスは、決定された１つまたは複数のシンボル中に、第１の基準信号の電力が割り振られた周波数帯域の複数の不連続サブバンドを占有するように、割り振られた周波数帯域の第１の部分上で第１の基準信号を送信するための手段をさらに備え、割り振られた周波数帯域の複数の不連続サブバンドは、割り振られた周波数帯域の帯域幅より少ない総帯域幅を有する。
【０００９】
[0009]デバイスの実施形態は、追加として、以下の特徴のうちの１つまたは複数を備え得る。デバイスは、第２の基準信号の電力が、割り振られた周波数帯域の複数の不連続サブバンドとは異なる、割り振られた周波数帯域の１つまたは複数のサブバンドを占有するように、割り振られた周波数帯域の第２の部分上で第２の基準信号を送信するための手段をさらに備え得る。デバイスは、第１の周期性で、割り振られた周波数帯域の第１の部分上で第１の基準信号を送信し、第１の周期性とは異なる第２の周期性で、割り振られた周波数帯域の第２の部分上で第２の基準信号を送信するための手段をさらに備え得る。第１の基準信号を送信するための手段は、Ｚａｄｏｆｆ−Ｃｈｕコードを用いて基準信号を符号化するための手段を備え得る。
【００１０】
[0010]本説明による、ワイヤレス電気通信ネットワークにおける基地局から受信される基準信号を検出する例となる方法が、ユーザ機器（ＵＥ）を用いて、その間に基準信号が割り振られた周波数帯域を介して送信されることになる、１つまたは複数のリソースブロックの、１つまたは複数のシンボルを決定することを備え、割り振られた周波数帯域は、中心周波数を中心とし、最小周波数と最大周波数とを有する。方法は、ＵＥを用いておよび決定された１つまたは複数のシンボル中に、割り振られた周波数帯域の一部分上で基準信号を受信することをさらに備え、ここにおいて、基準信号の電力は、割り振られた周波数帯域の複数の不連続サブバンドを占有し、割り振られた周波数帯域の複数の不連続サブバンドは、割り振られた周波数帯域の帯域幅より少ない総帯域幅を有する。方法はまた、ＵＥを用いて基準信号を処理することを備える。
【００１１】
[0011]方法の実施形態は、追加として、以下の特徴のうちの１つまたは複数を備え得る。基準信号を処理することは、所定のコードを用いて（with）信号の相互相関を実行することを備え得る。方法は、基準信号を処理することに基づいて、基準信号がＵＥによって受信された時間を決定することをさらに備え得る。その間に基準信号が送信されることになる、１つまたは複数のリソースブロックの、１つまたは複数のシンボルを決定することは、ロケーションサーバから、割り振られた周波数帯域のインジケーションを受信することをさらに備え得る。割り振られた周波数帯域のインジケーションは、複数の不連続サブバンドの各サブバンドについてのオフセット、複数の不連続サブバンドの各サブバンドについての帯域幅、基準信号の周期性、基準信号の持続時間、またはこれらの任意の組合せのインジケーションを備え得る。
【００１２】
[0012]本説明による、例となるユーザ機器（ＵＥ）が、ワイヤレス通信インターフェースと、メモリと、ワイヤレス通信インターフェースおよびメモリと通信可能に結合された処理ユニットとを備える。処理ユニットは、その間に基準信号が、割り振られた周波数帯域を介して、ワイヤレス電気通信ネットワークにおける基地局によって送信されることになる、１つまたは複数のリソースブロックの、１つまたは複数のシンボルを決定するように構成され、割り振られた周波数帯域は、中心周波数を中心とし、最小周波数と最大周波数とを有する。処理ユニットは、決定された１つまたは複数のシンボル中に、割り振られた周波数帯域の一部分上で基準信号を受信するようにさらに構成され、ここにおいて、基準信号の電力は、割り振られた周波数帯域の複数の不連続サブバンドを占有し、割り振られた周波数帯域の複数の不連続サブバンドは、割り振られた周波数帯域の帯域幅より少ない総帯域幅を有する。処理ユニットはまた、基準信号を処理するように構成される。
【００１３】
[0013]処理ユニットの実施形態は、追加として、以下の特徴のうちの１つまたは複数を備え得る。処理ユニットは、少なくとも部分的に、所定のコードを用いて信号の相互相関を実行することによって、基準信号を処理するように構成され得る。処理ユニットは、基準信号を処理することに基づいて、基準信号がＵＥによって受信された時間を決定するように構成され得る。処理ユニットは、さらに少なくとも部分的に、ロケーションサーバから、割り振られた周波数帯域のインジケーションを受信することによって、その間に基準信号が送信されることになる、１つまたは複数のリソースブロックの、１つまたは複数のシンボルを決定するように構成され得る。処理ユニットは、複数の不連続サブバンドの各サブバンドについてのオフセット、複数の不連続サブバンドの各サブバンドについての帯域幅、基準信号の周期性、基準信号の持続時間、またはこれらの任意の組合せのインジケーションを備える、割り振られた周波数帯域のインジケーションを受信するように構成され得る。
【００１４】
[0014]本説明による、例となるデバイスが、その間に基準信号が、割り振られた周波数帯域を介して、ワイヤレス電気通信ネットワークにおける基地局によって送信されることになる、１つまたは複数のリソースブロックの、１つまたは複数のシンボルのための手段を備え、割り振られた周波数帯域は、中心周波数を中心とし、最小周波数と最大周波数とを有する。デバイスは、追加として、決定された１つまたは複数のシンボル中に、割り振られた周波数帯域の一部分上で基準信号を受信するための手段を備え、ここにおいて、基準信号の電力は、割り振られた周波数帯域の複数の不連続サブバンドを占有し、割り振られた周波数帯域の複数の不連続サブバンドは、割り振られた周波数帯域の帯域幅より少ない総帯域幅を有する。デバイスはまた、基準信号を処理するための手段を備える。
【００１５】
[0015]デバイスの実施形態は、追加として、以下の特徴のうちの１つまたは複数を備え得る。基準信号を処理するための手段は、所定のコードを用いて信号の相互相関を実行するための手段を備え得る。デバイスは、基準信号を処理することに基づいて、基準信号がデバイスによって受信された時間を決定するための手段をさらに備え得る。デバイスは、ロケーションサーバから、割り振られた周波数帯域のインジケーションを受信することをさらに備える、その間に基準信号が送信されることになる、１つまたは複数のリソースブロックの、１つまたは複数のシンボルを決定するための手段をさらに備え得る。
【図面の簡単な説明】
【００１６】
[0016]非限定的かつ非網羅的な態様が、以下の図を参照して説明される。
【図１】[0017]図１は、ある実施形態による、ユーザ機器（ＵＥ）に関するポジションを決定するために５Ｇネットワークを利用し得る通信システムの図である。
【図２】[0018]図２は、参照のために提供された、ＰＲＳ測位機会を伴うＬＴＥサブフレームシーケンスの構造の例示である。
【図３Ａ】[0019]図３Ａは、基準信号送信のためにサブバンドを使用する概念を例示する、基準信号についての周波数オフセットにわたって電力をプロットする一連のグラフの例示である。
【図３Ｂ】[0019]図３Ｂは、基準信号送信のためにサブバンドを使用する概念を例示する、基準信号についての周波数オフセットにわたって電力をプロットする一連のグラフの例示である。
【図３Ｃ】[0019]図３Ｃは、基準信号送信のためにサブバンドを使用する概念を例示する、基準信号についての周波数オフセットにわたって電力をプロットする一連のグラフの例示である。
【図４Ａ】[0020]図４Ａは、図３Ａに示されたグラフに従って送信された例となる信号の自己相関を例示する、一連のグラフの例示である。
【図４Ｂ】[0020]図４Ｂは、図３Ｂに示されたグラフに従って送信された例となる信号の自己相関を例示する、一連のグラフの例示である。
【図４Ｃ】[0020]図４Ｃは、図３Ｃに示されたグラフに従って送信された例となる信号の自己相関を例示する、一連のグラフの例示である。
【図５】[0021]図５は、一実施形態による、３つの異なる周期的に送信される基準信号の周波数オフセットおよびシンボル使用の例示である。
【図６】[0022]図６は、ある実施形態による、ワイヤレス電気通信ネットワークにおける基地局を用いて基準信号を提供する方法を例示するフロー図である。
【図７】[0023]図７は、ある実施形態による、ワイヤレスネットワークにおける基地局から受信される基準信号を検出する方法を例示するフロー図である。
【図８】[0024]図８は、ＵＥの実施形態である。
【図９】[0025]図９は、コンピュータシステムの実施形態である。
【図１０】[0026]図１０は、基地局の実施形態である。
【００１７】
[0027]ある特定の例となるインプリメンテーションに従って、様々な図面における同様の参照番号および記号は、同様の要素を示す。加えて、要素の複数のインスタンスは、要素についての第１の番号の後に、ハイフンと第２の番号を続けることによって示され得る。例えば、要素１１０の複数のインスタンスは、１１０−１、１１０−２、１１０−３などとして示され得る。第１の番号のみを使用してこのような要素を参照するとき、要素のいずれのインスタンスも理解されるべきである（例えば、先の例における要素１１０は、要素１１０−１、１１０−２、および１１０−３を参照することになる）。
【詳細な説明】
【００１８】
[0028]ユーザ機器（ＵＥ）のロケーションを決定するためのいくつかの例となる技法が本明細書で提示され、これは、ＵＥ（例えば、モバイルデバイスまたはモバイル局）、ロケーションサーバ（ＬＳ）、基地局、および／または他のデバイスにおいてインプリメントされ得る。これらの技法は、第３世代パートナーシッププロジェクト（３ＧＰＰ（登録商標））、オープンモバイルアライアンス（ＯＭＡ）、３ＧＰＰロングタームエボリューション（ＬＴＥ）測位プロトコル（ＬＰＰ）および／またはＯＭＡ  ＬＰＰ拡張（ＬＰＰｅ）、ＷｉＦｉ（登録商標）、全地球航法衛星システム（ＧＮＳＳ）、ならびに同様のものを含む、様々な技術および／または規格を利用して、様々なアプリケーションにおいて利用され得る。
【００１９】
[0029]ＵＥは、モバイルフォン、スマートフォン、タブレットまたは他のモバイルコンピュータ、ポータブルゲームデバイス、パーソナルメディアプレーヤ、パーソナルナビゲーションデバイス、ウェアラブルデバイス、車載デバイス、あるいは他の電子デバイスなどの、モバイルデバイスを備え得る。ＵＥのポジション決定は、多種多様なシナリオにおいてＵＥおよび／または他のエンティティに有用であり得る。ＵＥの推定されたポジションを決定するための多くの既知の方法が存在し、ＵＥとＬＳとの間で測定値および／または他の情報を通信することを伴う方法を含む。
【００２０】
[0030]第５世代（５Ｇ）標準化は、観測到着時間差（ＯＴＤＯＡ：Observed Time Difference Of Arrival）およびラウンドトリップタイム（ＲＴＴ：round-trip time）に基づく測位方法のためのサポートを含むことが予期される。ＯＴＤＯＡでは、ＵＥは、基地局の１つまたは複数のペアによって送信された基準信号間の、基準信号時間差（ＲＳＴＤ：Reference Signal Time Differences）と呼ばれる時間差を測定する。以前のＬＴＥネットワークでは、基準信号は、測位のみを意図した信号（例えば、ＰＲＳ）を備えることになるか、またはＣＲＳもしくはＴＲＳなどの、サービングセルタイミングおよび周波数捕捉のためにも意図される信号であり得る。ＵＥが、基地局の３つ以上の対応する異なるペア（典型的に、各ペアにおける共通の基準基地局と、異なるネイバー基地局とを備える）間の３つ以上のＲＳＴＤを測定することが可能である場合、水平のＵＥロケーションは、基地局の相対タイミングおよびアンテナロケーションが知られている場合に取得され得る。典型的に、基地局の相対タイミングを知ることは、全地球測位システム（ＧＰＳ）または全地球航法衛星システム（ＧＮＳＳ）受信機を使用して、共通絶対時間に各基地局のタイミングを同期させること、または何らかの絶対時間への基地局タイミングの関連付けを決定するために、他の手段（例えば、ＧＮＳＳ受信機）を使用することを必要とする。
【００２１】
[0031]たとえ同期があったとしても、ＰＲＳ、ＣＲＳ、およびＴＲＳ信号は、多くの場合、ＬＴＥネットワークにおける他の信号と衝突し得、したがって、頻繁にドロップされる。さらに、信号は、多くの場合、ポジション決定のために必要であるよりも大きい帯域幅を使用する。
【００２２】
[0032]本明細書で説明される実施形態は、サブバンドの動的な利用を可能にする、５Ｇにおける新しい測位測定信号（本明細書では、より一般的に新しい「基準信号」と呼ばれる）を提供することに向けられる。
【００２３】
[0033]図１は、ある実施形態による、ＯＴＤＯＡベースの測位方法を使用して、ＵＥ１０５のポジションを決定するために５Ｇネットワークを利用し得る通信システム１００の図である。ここで、通信システム１００は、ＵＥ１０５と、次世代（ＮＧ）無線アクセスネットワーク（ＲＡＮ）（ＮＧ−ＲＡＮ）１３５および５Ｇコアネットワーク（５ＧＣ）１４０を備える５Ｇネットワークとを備え、これは、ＯＴＤＯＡベースの測位を提供すると共に、ＵＥ１０５にデータおよび音声通信を提供し得る。５Ｇネットワークは、新無線（ＮＲ：New Radio）ネットワークとも呼ばれ得、ＮＧ−ＲＡＮ１３５は、５Ｇ  ＲＡＮまたはＮＲ  ＲＡＮと呼ばれ得、５ＧＣ１４０は、ＮＧコアネットワーク（ＮＧＣ）と呼ばれ得る。ＮＧ−ＲＡＮと５ＧＣの標準化は、３ＧＰＰにおいて進行中である。したがって、ＮＧ−ＲＡＮ１３５および５ＧＣ１４０は、３ＧＰＰからの５Ｇサポートについての現行または将来の規格に準拠し得る。通信システム１００は、ＧＮＳＳ衛星ビークル（ＳＶ）１９０からの情報をさらに利用し得る。通信システム１００の追加の構成要素が、以下で説明される。通信システム１００は、追加または代替の構成要素を含み得ることが理解されるであろう。
【００２４】
[0034]図１は、様々な構成要素の一般化された例示のみを提供しており、それらのいずれかまたは全てが適宜に利用され得、その各々は、必要に応じて複製され得ることに留意されたい。具体的には、１つのＵＥ１０５のみが例示されているが、多くのＵＥ（例えば、数百個、数千個、数百万個など）が通信システム１００を利用し得ることが理解されるであろう。同様に、通信システム１００は、より多くの（またはより少ない）数のＳＶ１９０、ｇＮＢ１１０、ｎｇ−ｅＮＢ１１４、アクセスおよびモビリティ管理機能（ＡＭＦ）１１５、外部クライアント１３０、および／または他の構成要素を含み得る。通信システム１００において様々な構成要素を接続する例示された接続は、データおよびシグナリング接続を備え、これは、追加の（中間）構成要素、直接的または間接的な物理的および／またはワイヤレス接続、および／または追加のネットワークを含み得る。さらに、構成要素は、所望の機能に依存して、再配置され、組み合わされ、分離され、置き換えられ、および／または省略され得る。
【００２５】
[0035]ＵＥ１０５は、デバイス、モバイルデバイス、ワイヤレスデバイス、モバイル端末、端末、モバイル局（ＭＳ）、セキュアユーザプレーンロケーション（ＳＵＰＬ）対応端末（ＳＥＴ）として、または何らかの他の名称によって呼ばれ、および／またはそれらを備え得る。さらに、上述されたように、ＵＥ１０５は、携帯電話、スマートフォン、ラップトップ、タブレット、ＰＤＡ、追跡デバイス、ナビゲーションデバイス、モノのインターネット（ＩｏＴ）デバイス、ウェアラブルデバイス、埋め込みモデム、自動車用または他の乗り物用のコンピューティングデバイス、あるいは何らかの他のポータブルまたは移動可能デバイスを含む、様々なデバイスのうちの任意のものに対応し得る。必ずしもではないが、典型的に、ＵＥ１０５は、モバイル通信のためのグローバルシステム（ＧＳＭ（登録商標））、符号分割多元接続（ＣＤＭＡ）、広帯域ＣＤＭＡ（ＷＣＤＭＡ（登録商標））、ロングタームエボリューション（ＬＴＥ）、高速パケットデータ（ＨＲＰＤ）、ＩＥＥＥ８０２．１１ＷｉＦｉ（Ｗｉ−Ｆｉとも呼ばれる）、Ｂｌｕｅｔｏｏｔｈ（登録商標）（ＢＴ）、ＷｉＭＡＸ（Worldwide Interoperability for Microwave Access）、（例えば、ＮＧ−ＲＡＮ１３５および５ＧＣ１４０を使用する）５Ｇ新無線（ＮＲ）などを使用するような、１つまたは複数の無線アクセス技術（ＲＡＴ）を使用したワイヤレス通信をサポートし得る。ＵＥ１０５はまた、例えば、デジタル加入者回線（ＤＳＬ）またはパケットケーブルを使用して他のネットワーク（例えば、インターネット）に接続し得るワイヤレスローカルエリアネットワーク（ＷＬＡＮ）を使用したワイヤレス通信をサポートし得る。これらのＲＡＴのうちの１つまたは複数の使用は、ＵＥ１０５が、（例えば、図１には示されていない５ＧＣ１４０の要素を介して、または場合によっては、ゲートウェイモバイルロケーションセンター（ＧＭＬＣ：Gateway Mobile Location Center）１２５を介して）外部クライアント１３０と通信することを可能にし、および／または、外部クライアント１３０が、（例えば、ＧＭＬＣ１２５を介して）ＵＥ１０５に関するロケーション情報を受信することを可能にし得る。
【００２６】
[0036]ＵＥ１０５は、ユーザが、オーディオ、ビデオ、および／またはデータＩ／Ｏデバイスおよび／またはボディセンサ、ならびに別個のワイヤラインまたはワイヤレスモデムを用い得るパーソナルエリアネットワークなどにおいて複数のエンティティを備え得るか、または単一のエンティティを備え得る。ＵＥ１０５のロケーションの推定値は、ロケーション、ロケーション推定値、ロケーションフィックス（location fix）、フィックス、ポジション、ポジション推定値、またはポジションフィックスと呼ばれ得、地理的であり得、したがって、高度成分（例えば、標高、地表面、床面、または地下面（basement level）からの高さまたは深さ）を含むことも含まないこともあり得る、ＵＥ１０５についてのロケーション座標（例えば、緯度および経度）を提供する。代替として、ＵＥ１０５のロケーションは、都市（civic）ロケーションとして（例えば、郵便宛先または特定の部屋もしくは階などの建物内のある点もしくは小さい面積（area）の指定として）表され得る。ＵＥ１０５のロケーションはまた、ＵＥ１０５が何らかの確率または信頼性レベル（例えば、６７％、９５％など）で位置特定されることが予期される（地理的にまたは都市形式のいずれかで定義される）面積または体積（area or volume）として表され得る。ＵＥ１０５のロケーションはさらに、例えば、地理的にか、都市の用語でか、または地図、間取り図、もしくは建物平面図上で示される、ある点、面積、または体積への参照によって定義され得る既知のロケーションにおけるある原点に対して相対的に定義される相対Ｘ、Ｙ（およびＺ）座標または距離および方向を備える、相対ロケーションであり得る。本明細書に含まれる説明では、ロケーションという用語の使用は、別途示されていない限り、これらの変形のうちの任意のものを備え得る。
【００２７】
[0037]ＮＧ−ＲＡＮ１３５における基地局は、ＮＲノードＢを備え得、これは、より典型的には、ｇＮＢと呼ばれる。図１には、ｇＮＢ１１０−１と、９０−２と、９０−３との３つのｇＮＢが示されており、これらは、本明細書では、集合的かつ総称的にｇＮＢ１１０と呼ばれる。しかしながら、典型的なＮＧ  ＲＡＮ１３５は、数ダース、数百、または数千ものｇＮＢ１１０を備え得る。ＮＧ−ＲＡＮ１３５におけるｇＮＢ１１０のペアは、互いに接続され得る（図１には図示せず）。５Ｇネットワークへのアクセスは、ＵＥ１０５と、５Ｇ（ＮＲとも呼ばれる）を使用しているＵＥ１０５に代わって５ＧＣ１４０へのワイヤレス通信アクセスを提供し得るｇＮＢ１１０のうちの１つまたは複数との間のワイヤレス通信を介して、ＵＥ１０５に提供される。図１では、ＵＥ１０５のためのサービングｇＮＢは、ｇＮＢ１１０−１であると仮定されるが、ＵＥ１０５が別のロケーションに移動した場合、他のｇＮＢ（例えば、ｇＮＢ１１０−２および／またはｇＮＢ１１０−３）が、サービングｇＮＢとして機能し得、あるいはＵＥ１０５に追加のスルーアウトおよび帯域幅を提供するセカンダリｇＮＢとして機能し得る。
【００２８】
[0038]図１に示されるＮＧ−ＲＡＮ１３５における基地局（ＢＳ）はまた、あるいはその代わりに、ｎｇ−ｅＮＢ１１４とも呼ばれる次世代発展型ノードＢを含み得る。ｎｇ−ｅＮＢ１１４は、例えば、直接的にまたは他のｇＮＢ１１０および／または他のｎｇ−ｅＮＢを介して間接的に、ＮＧ−ＲＡＮ１３５における１つまたは複数のｇＮＢ１１０に接続され得る（図１には図示せず）。ｎｇ−ｅＮＢ１１４は、ＵＥ１０５にＬＴＥワイヤレスアクセスおよび／または発展型ＬＴＥ（ｅＬＴＥ）ワイヤレスアクセスを提供し得る。図１におけるいくつかのｇＮＢ１１０（例えば、ｇＮＢ１１０−２）および／またはｎｇ−ｅＮＢ１１４は、ＵＥ１０５からのまたは他のＵＥからの信号を受信できないが、ＵＥ１０５の測位を支援するために、支援データをブロードキャストし得、および／または、信号（例えば、本明細書で説明されるような測位測定信号）を送信し得る、測位専用ビーコンとして機能するように構成され得る。１つのｎｇ−ｅＮＢ１１４のみが図１に示されている一方で、以下の説明は、時として、複数のｎｇ−ｅＮＢ１１４の存在を仮定することに留意されたい。
【００２９】
[0039]述べられたように、図１が５Ｇ通信プロトコルに従って通信するように構成されたノードを図示する一方で、例えば、ＬＰＰプロトコルまたはＩＥＥＥ８０２．１１ｘプロトコルなどの、他の通信プロトコルに従って通信するように構成されたノードが使用され得る。例えば、ＵＥ１０５にＬＴＥワイヤレスアクセスを提供する発展型パケットシステム（ＥＰＳ）では、ＲＡＮは、発展型ユニバーサルモバイルテレコミュニケーションズシステム（ＵＭＴＳ）地上無線アクセスネットワーク（Ｅ−ＵＴＲＡＮ）を備え得、これは、ＬＴＥワイヤレスアクセスをサポートする発展型ノードＢ（ｅＮＢ）を備える基地局を備え得る。ＥＰＳのためのコアネットワークは、発展型パケットコア（ＥＰＣ）を備え得る。この場合、ＥＰＳは、Ｅ−ＵＴＲＡＮプラスＥＰＣを備え得、ここで、Ｅ−ＵＴＲＡＮは、ＮＧ−ＲＡＮ１３５に対応し、ＥＰＣは、図１の５ＧＣ１４０に対応する。ＵＥ１０５の測位のサポートのために、本明細書で説明されるポジション測定信号は、このような他のネットワークに適用可能であり得る。
【００３０】
[0040]ｇＮＢ１１０およびｎｇ−ｅＮＢ１１４は、ＡＭＦ１１５と通信し得、これは、測位機能のために、ロケーション管理機能（ＬＭＦ）１２０と通信する。ＡＭＦ１１５は、セル変更およびハンドオーバを含む、ＵＥ１０５のモビリティをサポートし得、ＵＥ１０５へのシグナリング接続、および場合によっては、ＵＥ１０５のためのデータおよび音声ベアラをサポートすることに参加し得る。ＬＭＦ１２０は、ＵＥ１０５がＮＧ−ＲＡＮ１３５にアクセスするとき、ＵＥ１０５の測位をサポートし得、観測到着時間差（ＯＴＤＯＡ）（これは、本明細書で説明される測位測定信号を利用し得る）およびその他などの測位方法をサポートし得る。ＬＭＦ１２０はまた、例えば、ＡＭＦ１１５からまたはＧＭＬＣ１２５から受信される、ＵＥ１０５に関するロケーションサービス要求を処理し得る。ＬＭＦ１２０は、ＡＭＦ１１５および／またはＧＭＬＣ１２５に接続され得る。いくつかの実施形態では、（ＵＥ１０５のロケーションの導出を含む）測位機能の少なくとも一部は、（例えば、ｇＮＢ１１０およびｎｇ−ｅＮＢ１１４などのワイヤレスノードによって送信されたポジション測定信号についての、ＵＥ１０５によって取得された信号測定値、および、例えば、ＬＭＦ１２０によって、ＵＥ１０５に提供される支援データを使用して）ＵＥ１０５において実行され得ることに留意されたい。
【００３１】
[0041]ゲートウェイモバイルロケーションセンター（ＧＭＬＣ）１２５は、外部クライアント１３０から受信されるＵＥ１０５に関するロケーション要求をサポートし得、ＡＭＦ１１５によるＬＭＦ１２０への転送（forwarding）のために、ＡＭＦ１１５にこのようなロケーション要求を転送し得、または直接ＬＭＦ１２０にロケーション要求を転送し得る。（例えば、ＵＥ１０５についてのロケーション推定値を含む）ＬＭＦ１２０からのロケーション応答が、直接的にまたはＡＭＦ１１５を介してのいずれかで、ＧＭＬＣ１２５に同様に返され得、その後、ＧＭＬＣ１２５は、外部クライアント１３０に（例えば、ロケーション推定値を含む）ロケーション応答を返し得る。ＧＭＬＣ１２５は、図１では、ＡＭＦ１１５とＬＭＦ１２０との両方に接続されて示されているが、いくつかのインプリメンテーションでは、これらの接続のうちの１つのみが、５ＧＣ１４０によってサポートされ得る。
【００３２】
[0042]述べられたように、通信システム１００が５Ｇ技術に関連して説明される一方で、通信システム１００は、（例えば、音声、データ、測位、および他の機能をインプリメントするために）ＵＥ１０５などのモバイルデバイスをサポートし、それとインタラクトするために使用される、ＧＳＭ、ＷＣＤＭＡ、ＬＴＥなどのような、他の通信技術をサポートするためにインプリメントされ得る。いくつかのこのような実施形態では、５ＧＣ１４０は、異なるエアインターフェースを制御するように構成され得る。例えば、いくつかの実施形態では、５ＧＣ１４０は、５ＧＣ１５０における非３ＧＰＰインターワーキング機能（Ｎ３ＩＷＦ、図１に図示せず）を使用して、ＷＬＡＮに接続され得る。例えば、ＷＬＡＮは、ＵＥ１０５のためのＩＥＥＥ８０２．１１ＷｉＦｉアクセスをサポートし得、１つまたは複数のＷｉＦｉ  ＡＰを備え得る。ここで、Ｎ３ＩＷＦは、ＷＬＡＮに、およびＡＭＦ１１５などの５ＧＣ１５０における他の要素に接続し得る。いくつかの他の実施形態では、ＮＧ−ＲＡＮ１３５と５ＧＣ１４０との両方が、他のＲＡＮおよび他のコアネットワークによって置き換えられ得る。例えば、ＥＰＳでは、ＮＧ−ＲＡＮ１３５は、ｅＮＢを含むＥ−ＵＴＲＡＮによって置き換えられ得、５ＧＣ１４０は、ＡＭＦ１１５の代わりにモビリティ管理エンティティ（ＭＭＥ）と、ＬＭＦ１２０の代わりに発展型サービングモバイルロケーションセンター（Ｅ−ＳＭＬＣ）と、ＧＭＬＣ１２５と同様であり得るＧＭＬＣとを含むＥＰＣによって置き換えられ得る。このようなＥＰＳでは、Ｅ−ＳＭＬＣは、Ｅ−ＵＴＲＡＮにおけるｅＮＢにロケーション情報を送り、また、それからロケーション情報を受信し得、ＵＥ１０５の測位をサポートし得る。これらの他の実施形態では、ＵＥ１０５の測位は、ｇＮＢ１１０、ｎｇ−ｅＮＢ１１４、ＡＭＦ１１５、およびＬＭＦ１２０について本明細書で説明される機能およびプロシージャが、いくつかのケースでは、代わりに、ｅＮＢ、ＷｉＦｉ  ＡＰ、ＭＭＥ、およびＥ−ＳＭＬＣなどの他のネットワーク要素に適用され得るという違いを伴って、５Ｇネットワークについて本明細書で説明されるものと類似の方法でサポートされ得る。
【００３３】
[0043]通信システム１００によるＵＥ１０５のポジション決定は、典型的に、ＵＥ１０５と、複数の基地局１１０、１１４の各々との間の距離（例えば、ＵＥ１０５と、それぞれＧＮＢ１１０−１、９０−２、および９０−３との間の距離Ｄ１、Ｄ２、およびＤ３）を決定することと、ＵＥのロケーションを決定するために、三辺測量を使用することとを伴う。上述されたように、これらの距離を決定するために、ＵＥ１０５は、これらの基地局１１０、１１４によって送信されたポジション測定信号（本明細書で以下に説明される基準信号を含む）を測定し得る。例えば、ＲＳＴＤ測定値に基づくＯＴＤＯＡを使用するポジション決定は、典型的に、基地局１１０、１１４によるこれらの基準信号の送信の同期か、または基地局１１０、１１４のペア間のＲＴＤの何らかの他の方法で取得された知識のいずれかを必要とする。ＬＭＦ１２０は、典型的に、この知識を有しており、したがって、様々な基地局１１０、１１４のＵＥ１０５によって取られた測定値に基づく非同期ネットワークにおけるポジション決定は、例えば、ＬＭＦ１２０が、ＵＥ１０５から測定値を受信した後に、ＵＥ１０５のポジションを決定すること、またはＬＭＦ１２０からＲＴＤ情報を受信した後に、ＵＥ１０５がそれ自体のポジションを決定することを伴い得る。ＬＴＥネットワークでは、ＰＲＳ基準信号は、典型的に、ＯＴＤＯＡ測位のために、これらのＲＳＴＤ測定を行うために使用される。
【００３４】
[0044]図２は、参照のために提供された、ＰＲＳ測位機会を伴うＬＴＥサブフレームシーケンスの構造の例示である。図２では、例示されるように、時間は、時間が左から右に増大するように水平に（例えば、Ｘ軸上で）表され、一方、周波数は、周波数が下から上に増大（または低減）するように垂直に（例えば、Ｙ軸上で）表される。図２に示されるように、ダウンリンクおよびアップリンクＬＴＥ無線フレーム２１０は、それぞれ１０ｍｓの持続時間である。ダウンリンク周波数分割複信（ＦＤＤ）モードの場合、無線フレーム２１０は、それぞれ１ｍｓの持続時間の１０個のサブフレーム２１２に編成される。各サブフレーム２１２は、各々が０．５ｍｓの持続時間の２つのスロット２１４を備える。ＬＴＥでは、これらの無線フレーム２１０は、図１の基地局１１０、１１４と同様の基地局によって送信される。ＰＲＳは、エリア内の任意のＵＥによって検出され得、したがって、これらの基地局によって「ブロードキャスト」されたと考えられる。
【００３５】
[0045]周波数領域では、利用可能な帯域幅は、均一に離間された直交サブキャリア２１６に分割され得る。例えば、１５ｋＨｚ間隔を使用する通常の長さのサイクリックプレフィックスの場合、サブキャリア２１６は、１２個のサブキャリアまたは「周波数ビン（frequency bins）」のグループにグループ化され得る。図２において、１２個のサブキャリア２１６を備える各グルーピングは、「リソースブロック」（または、「物理リソースブロック」（ＰＲＢ））と称され、上記の例では、リソースブロックにおけるサブキャリアの数は、
【００３６】
【数１】
2021509247.tif 000003
【００３７】
と書かれ得る。所与のチャネル帯域幅について、送信帯域幅構成２２２とも呼ばれる、各チャネル上で利用可能なリソースブロックの数２２２は、
【００３８】
【数２】
2021509247.tif 000004
【００３９】
として示される。例えば、上記の例における３ＭＨｚのチャネル帯域幅の場合、各チャネル上で利用可能なリソースブロックの数２２２は、
【００４０】
【数３】
2021509247.tif 000005
【００４１】
によって与えられる。
【００４２】
[0046]したがって、リソースブロックは、１つのサブフレーム２１２（２つのスロット２１４）および１２個のサブキャリアを備える、無線フレーム２１０における周波数および時間リソースの単位として説明され得る。各スロット２１４は、その間に基地局（ダウンリンク（ＤＬ）無線フレームの場合）またはＵＥ（アップリンク（ＵＬ）無線フレームの場合）がＲＦ信号を送信し得る、６個または７個の期間、または「シンボル」を備える。１２×１２または１４×１２グリッドにおける各１サブキャリア×１シンボルのセルは、「リソース要素」（ＲＥ）を表し、これは、フレームの最小の個別部分（smallest discrete part）であり、物理チャネルまたは信号からのデータを表す単一の複素数値を含む。
【００４３】
[0047]ＰＲＳは、測位「機会」にグループ化される特別な測位サブフレーム（special positioning subframes）において送信され得る。例えば、ＬＴＥでは、ＰＲＳ測位機会は、連続する測位サブフレームの数ＮＰＲＳ２１８を備え得、ここで、数ＮＰＲＳは、１から１６０の間であり得る（例えば、値１、２、４、および６、ならびに他の値を含み得る）。基地局によってサポートされるセルのためのＰＲＳ測位機会は、ミリ秒（またはサブフレーム）インターバルの、数ＴＰＲＳによって示されるインターバル２２０で周期的に生じ得、ここで、ＴＰＲＳは、５、１０、２０、４０、８０、１６０、３２０、６４０、または１２８０に等しくなり得る。例として、図２は、測位機会の周期性を例示し、ここで、ＮＰＲＳは、４に等しく、ＴＰＲＳは、２０以上である。いくつかの実施形態では、ＴＰＲＳは、連続する測位機会の開始の間のサブフレーム数によって測定され得る。
【００４４】
[0048]ＰＲＳ信号は、予め定義された帯域幅を用いて展開され得、これは、他のＰＲＳ構成パラメータ（例えば、ＮＰＲＳ、ＴＰＲＳ、任意のミューティングおよび／または周波数ホッピングシーケンス、ＰＲＳ  ＩＤ）およびポジション決定情報と共に、ロケーションサーバからサービング基地局を介してＵＥに提供され得る。一般的に言えば、ＰＲＳのために割り振られた帯域幅が多いほど、ポジション決定はより正確になり、したがって、パフォーマンスとオーバーヘッドとの間には、トレードオフが存在する。
【００４５】
[0049]５Ｇ規格では、無線フレームは、図２に例示されたＬＴＥのための構造と同様になることが予想されるが、ある特定の特性（例えば、タイミング、利用可能な帯域幅など）は、異なり得る。加えて、ＰＲＳにとって代わる新しいポジション測定信号の特性は、この新しい基準信号が、ＰＲＳの現在の特性以上に、正確な測定を提供すること、マルチパスに対してロバストであること、セル間の高いレベルの直交性およびアイソレーションを提供すること、ならびに比較的低いＵＥ電力を消費することを可能にするために、同様に異なり得る。
【００４６】
[0050]本明細書で提供される実施形態は、基準信号の拡張された帯域幅利用を提供し、比較的小さい帯域幅で高精度のポジション決定を可能にする。特に、所与の割り振られた帯域幅について、本明細書で説明される実施形態は、割り振られた帯域幅の一部分のみの利用を提供する。いくつかのケースでは、割り振られた帯域のエッジの近くの複数のサブバンドが、ガボール帯域幅（ＢＷ）を最大化するために使用され得、帯域幅全体が利用された場合と同じ精度でのポジション決定を可能にする。
【００４７】
[0051]図３Ａ〜図３Ｃは、基準信号送信のためにサブバンドを使用する概念を例示する、基準信号についての周波数オフセットにわたって電力をプロットする一連のグラフ３００−１、３００−２、および３００−３（本明細書では、集合的かつ総称的にグラフ３００と呼ばれる）である。本明細書で提供される他の図と同様に、図３Ａ〜図３Ｃは、非限定的な例として提供される。サブバンドの帯域幅および利用は、所望の機能および／または他の要因に依存して異なり得る。使用されるサブバンドの幅およびロケーションは、図２で説明されたようなサブキャリアの使用に対応し得る。例えば、不連続サブバンドは、５つのサブキャリアをそれぞれ含み得、ここで、各サブバンドは、１つのサブキャリア幅だけ離間される。（サブキャリアとサブバンドの関係に関するさらなる詳細が、以下で提供され、図５に例示される。）（例えば、図２に示されるような）リソースブロックに関して、基準信号は、最終的には、いくつかのリソースブロックからのいくつかのシンボルから構成され得る。リソースブロックのその集合は、図３Ａ〜図３Ｃに示されるような周波数領域における電力プロファイルを有することになる。
【００４８】
[0052]第１のグラフ３００−１は、総基準信号の電力が１０ＭＨｚ（中心周波数を中心として、±５ＭＨｚ）の割り振られた帯域幅にわたって均等に分配されている第１のプロット３１０を例示する。ＰＲＳ信号を送信する従来の技法は、全帯域幅にわたるこのような電力分配を利用し得る。ここでは、任意のサブバンドではなく、帯域幅全体が利用される。
【００４９】
[0053]第２のグラフ３００−２は、総基準信号の電力が１０ＭＨｚの割り振られた帯域幅の一部分のみにわたって均等に分配されている第２の例となるプロット３２０を例示する。ここでは、割り振られた帯域幅の中心周波数を中心とする、連続した（continuous）５ＭＨｚのサブバンドが使用される（±２．５ＭＨｚ）。
【００５０】
[0054]第３のグラフ３００−３は、第３の例となるプロット３３０−１および３３０−２（本明細書では、集合的かつ総称的にプロット３３０と呼ばれる）を例示する。この例では、基準信号は、実質的に同じ帯域幅を有する２つの不連続サブバンド：下側サブバンド３３０−１および上側サブバンド３３０−２に分割される。実施形態は、利用される周波数スペクトルの「拡散（spread out）」に役立てるために、第３のグラフ３００−３に例示されるそれらのような、不連続サブバンドを利用し得る。これは、ガボール帯域幅を増大させることによって、自己相関ピークのより鋭い特徴を確保するのに役立ち得、これは、ドップラー推定にとって望ましくあり得る。この現象は、図４Ａ〜図４Ｃに例示される。
【００５１】
[0055]図４Ａ〜図４Ｃは、それぞれグラフ３００−１、３００−２、および３００−３において送信される例となる信号の自己相関を例示する、一連のグラフ４００−１、４００−２、および４００−３（本明細書では、集合的かつ総称的にグラフ４００と呼ばれる）である。見て分かるように、グラフ３００−１における全１０ＭＨｚの帯域幅の利用に対応する自己相関のプロット４１０は、容易に識別可能な中心ピーク４４０を有するプロット４１０をもたらす。中心周波数を中心とする連続したブロックにおける５ＭＨｚのみの利用に対応する自己相関は、プロット４２０をもたらし、他方では、はるかに鋭くない特徴をもたらす。ここで、中心ピーク４５０は、プロット４１０の中心ピーク４４０よりもはるかに広く、したがって、グラフ３００−２に例示される５ＭＨｚの連続したブロックを使用する基準信号から得られるドップラー推定は、グラフ３００−１に例示される１０ＭＨｚの連続したブロックを使用する基準信号から結果として得られるドップラー推定よりも劣り得る。
【００５２】
[0056]しかしながら、帯域幅の半分を単に利用しただけでは、必ずしも、より鈍い特徴と、結果として得られるより劣ったドップラー推定とがもたらされるわけではない。グラフ４００−３に見られるように、グラフ３００−３に例示されるような、上側および下側サブバンド３３０の利用は、全１０ＭＨｚの帯域が利用された場合と同様に正確なポジション決定を可能にし得る比較的鋭い中心ピーク４６０をもたらす。（サイドローブ４７０が比較的高く、したがって、効率的に区別される必要があるという欠点を伴う。）換言すれば、グラフ３００−３に例示される上側および下側サブバンド３３０が１０ＭＨｚに及ぶので、それらは、ガボール帯域幅を最大化し、グラフ４００−１のものと同程度に鋭い、グラフ４００−３における相関ピークを提供する。
【００５３】
[0057]グラフ３００−３に例示されるような、上側および下側サブバンド３３０の利用は、ガボール帯域幅を増大させる（使用される帯域幅の総量を低減させながら、利用可能な帯域幅の最も上側および最も下側の部分におけるサブバンドを使用することによって、有効な帯域幅の使用（effective bandwidth use）を増大させる）だけでなく、それはまた、帯域幅の中心部分を利用し得る他の信号との基準信号の共存を可能にする。例えば、他の信号（例えば、プライマリ同期信号（ＰＳＳ）、セカンダリ同期信号（ＳＳＳ）、物理ブロードキャストチャネル（ＰＢＣＨ）、および／または他の信号）は、（グラフ３００−２に例示されたスペクトルと同様の）チャネルの中心にある５ＭＨｚスペクトルを利用し得、一方、チャネルの外側部分は、グラフ３００−３に例示されたような上側および下側サブバンド３３０を使用して新しい基準信号を送信するために利用され、基準信号とこれらの他の信号との間の衝突を低減させる。
【００５４】
[0058]とは言え、実施形態によれば、様々なサブバンドのうちの任意のものが利用され得る。いくつかの実施形態によれば、例えば、上側サブバンド３３０−２が使用され得るか、または、下側サブバンド３３０−１が使用され得るかのいずれかである。そして、いずれのケースでも、サブバンドの総帯域幅は、グラフ３００−３に例示されたいずれかのサブバンド３３０の帯域幅より大きいことも、小さいこともあり得る。いくつかの実施形態では、複数のサブバンドが利用され得、ここで、異なるサブバンドは、異なる帯域幅を有する。追加または代替として、２つより多くのサブバンド（例えば、３つ、４つ、５つなど）が使用され得、および／または、サブバンドは、中心周波数から対称的に位置しないことがあり得る。それでも、いくつかの基準信号は、単一のサブバンドのみを利用し得る。単一の実施形態が、複数の異なる基準信号をインプリメントし得る。この例示が、図５に提供される。
【００５５】
[0059]図５は、一実施形態による、３つの異なる周期的に送信される基準信号（例えば、５Ｇ規格下では、ポジション測定信号）の（基準周波数からの）周波数オフセットおよびシンボル使用の例示である。ここで、異なる基準信号は、異なるボックスによって表される。第１の基準信号５１０−１、５１０−２、および５１０−３（本明細書では、集合的かつ総称的に第１の基準信号５１０と呼ばれる）、第２の基準信号５２０−１、５２０−２、および５２０−３（本明細書では、集合的かつ総称的に第２の基準信号５２０と呼ばれる）、ならびに第３の基準信号５３０−１Ａ、５３０−１Ｂ、５３０−３Ａ、および５３０−３Ｂ（本明細書では、集合的かつ総称的に第３の基準信号５３０と呼ばれる）。ここで、各基準信号は、異なる基地局によって送信され得る。しかしながら、いくつかの実施形態では、単一の基地局が、１つまたは複数の基準信号を送信し得る。
【００５６】
[0060]見て分かるように、基準信号の各々のために使用される周波数オフセットおよびシンボルは異なる。例えば、第１の機会５００−１において、第１の基準信号５１０−１は、第１のスロットにおいていくつかの連続したＰＲＢを使用し得、ＰＲＢは、基準ＰＲＢからのオフセット（矢印５４０によって例示される）を有する。次に続くスロットにおいて、オフセットがなくかつ割り振られたＰＲＢのブロック全体を使用する、第２の基準信号５２０−１が送信される。例示されるように、第２の基準信号５２０によって使用されるＰＲＢの一部分は、同じスロット中に第３の基準信号５３０によっても使用される（このケースでは、異なる基準信号は、同じスロットの異なるリソース要素を占有し得る）。第３の基準信号５３０は、（５３０−１Ａおよび５３０−１Ｂとラベル付けされた）ＰＲＢの２つの連続したブロックに分離され、（第１の基準信号５１０および第２の基準信号５２０とは異なり）いくつかの連続スロット（successive slots）にわたって送信される（例えば、上記で説明されたように、ＬＴＥにおけるＮＰＲＳ値の５Ｇ等価物についてより大きい値を有する）。また、第１の基準信号５１０および第２の基準信号５２０よりも長い周期性を有する（例えば、上記で説明されたように、ＬＴＥにおけるＴＰＲＳ値の５Ｇ等価物についてより大きい値を有する）第３の基準信号５３０は、第２の機会５００−２には現れない。
【００５７】
[0061]ＬＴＥと同様に、ロケーションサーバ（例えば、図１のＬＭＦ１２０）は、基準信号の様々な特性についての値を通信し得る。したがって、ロケーションサーバは、スロットの数、周期性、および同様のものを定義する値を通信し得る。しかしながら、ＬＴＥとは異なり、ロケーションサーバは、各基準信号において使用されるリゾートブロックを通信するために、所与の基準信号に関連付けられたオフセット（例えば、オフセット５４０）および／または帯域幅をさらに通信し得る。
【００５８】
[0062]所望の機能に依存して、オフセットは、様々な方法のうちの任意のもので通信され得る。例えば、オフセットは、基準周波数またはＰＲＢからの周波数またはＰＲＢの数として通信され得る。図５に例示される例では、オフセット５４０、５５０−Ａ、および５５０−Ｂは、ＰＲＢの割り振られたブロックのエッジにおける周波数５６０から生じる。（しかしながら、代替の実施形態では、オフセットは、中心周波数５７０またはＰＲＢからのオフセットとして通信され得る。）この例では、第１の基準信号５１０は、１５４個のＰＲＢの（周波数５６０からの）オフセット５４０を有し、第２の基準信号５２０は、ゼロのオフセットを有し、第３の基準信号５３０のサブバンド５３０−１Ａおよび５３０−１Ｂは、それぞれ１７６および５５のオフセットを有する。
【００５９】
[0063]オフセットと同様に、帯域幅もまた、所望の機能に依存して、様々な方法のうちの任意のもので通信され得る。例えば、帯域幅は、オフセットから開始する、周波数または連続したＰＲＢの数として通信され得る。例えば、図５の第１の基準信号５１０は、９０個のＰＲＢの帯域幅を有し、第２の基準信号５２０は、２７５個のＰＲＢの帯域幅を有し、第３の基準信号５３０のサブバンド５３０−１Ａおよび５３０−１Ｂは、４４個のＰＲＢの帯域幅をそれぞれ有する。
【００６０】
[0064]実施形態によれば、基準信号の送信は、ＬＴＥにおいて使用される直交性の３つの次元：時間、周波数、およびコード空間のいずれかまたは全てを活用し得る。基準信号は、図２〜図５に例示されたように、リソースブロックの共用を通じて、時間および空間において直交し得る。基準信号はまた、送信ソースの識別を可能にするのに役立てるために、コードを用いて送信され得る。例えば、異なる基地局は、使用される受信ＵＥが、どの基地局がどの基準信号を送信したかを決定することを可能にするために、異なるコードを用いて基準信号を送信し得る。
【００６１】
[0065]ＬＴＥでは、ＰＲＳ信号は、基地局間の何らかのレベルのアイソレーションを提供するために、Ｇｏｌｄコードを利用する。本明細書の実施形態で説明されるものなどの、５Ｇのための基準信号はまた、このようなアイソレーションのためにＧｏｌｄコードを用い得る。しかしながら、実施形態は、追加または代替として、他のコードタイプを用い得る。この一例が、Ｚａｄｏｆｆ−Ｃｈｕコードである。
【００６２】
[0066]Ｚａｄｏｆｆ−Ｃｈｕコードの使用は、Ｇｏｌｄコードに比べていくつかの利益を有し得る。例えば、Ｚａｄｏｆｆ−Ｃｈｕコードは、完全な自己相関特性を有する。セル（基地局）の区別のために、Ｚａｄｏｆｆ−Ｃｈｕコードはまた、平坦な相互相関プロファイルを有する。加えて、Ｚａｄｏｆｆ−Ｃｈｕコードの生成は、シフトレジスタではなく方程式によって行われ得、これは、代替よりも計算の複雑さが少ないことを意味し得る。さらに、Ｚａｄｏｆｆ−Ｃｈｕコードの使用は、一定の振幅エンベロープを作成し得、低いピーク対平均電力比（ＰＡＰＲ）をもたらし、一般に、電力増幅器にとって望ましい特徴であり、フォールスアラーム（false alarm）を拒否する強力な方法である。したがって、Ｚａｄｏｆｆ−Ｃｈｕコードは、基準信号において使用するのに非常に望ましい特性を有する。
【００６３】
[0067]Ｚａｄｏｆｆ−Ｃｈｕコードは素数である必要があるので、それらは、偶数個の周波数要素が存在するので、基準信号において使用されるとき、切り捨てられる（truncated）か、またはゼロパディングされ得る。例えば、３３００個の周波数ビンの場合、３２９９の長さを有するＺａｄｏｆｆ−Ｃｈｕコードは、３３００に拡張するために１のゼロパディングと共に使用され得、または、３３０１の長さが、３３００に切り捨てられ得る。いずれのケースも、依然として、コード空間において直交性を提供するための望ましい自己相関特性および相互相関特性を提供し得る。
【００６４】
[0068]図６は、ある実施形態による、ワイヤレス電気通信ネットワークにおける基地局を用いて基準信号を提供する方法６００を例示するフロー図であり、これは、上記で説明され、図１および図３〜図５に例示された実施形態の態様による基地局の機能を例示する。いくつかの実施形態によれば、図６に例示される１つまたは複数のブロックの機能は、基地局（例えば、図１に例示されたような、ｇＮＢ１１０およびまたはｎｇ−ｅＮＢ１１４）によって実行され得る。これらの機能を実行するための手段は、図１０に例示されおよび以下でより詳細に説明されるような、基地局のソフトウェアおよび／またはハードウェア構成要素を含み得る。
【００６５】
[0069]ブロック６１０において、機能は、その間に基準信号が、中心周波数を中心としかつ最小周波数と最大周波数とを有する割り振られた周波数帯域上で送信されることになる、１つまたは複数のリソースブロックの、１つまたは複数のシンボルを決定することを含む。この決定は、基準信号の送信のために使用されるＰＲＢおよび個々のリソース要素を決定することをさらに備え得、これは、割り振られた周波数帯域のサブバンドを定義し得る。図３Ｃにおいて、例えば、グラフ３００−３に例示された例は、中心周波数から−５ＭＨｚのオフセットでの最小周波数と、中心周波数から５ＭＨｚのオフセットでの最大周波数とを有する、割り振られた周波数帯域を有する。割り振られた周波数帯域の特性（例えば、割り振られた周波数、各サブバンドについてのオフセット、各サブバンドについての帯域幅、基準信号の周期性、基準信号の持続時間など）は、ロケーションサーバによって決定され得、それは、この情報を基地局および／またはＵＥに通信し得る。所望の機能に依存して、基準信号は、１つまたは複数のリソースブロックの、１つまたは複数のシンボルを使用して送信され得る。他の考慮事項に加えて、基準信号の伝送（transmittal）のためにいくつのシンボルを使用すべきかを決定するとき、受信ＵＥの電力考察（power considerations）が考慮され得る。例えば、（複数のシンボルではなく）スロット当たり単一のシンボルを使用することは、ＵＥについての電力消費を低減させ得る。上述されたように、ワイヤレス電気通信ネットワークは、５Ｇセルラネットワークを備え得、したがって、基準信号が送信され得る基準クロック当たりのシンボルの数を決定するとき、５Ｇ規格による他の制約が考慮され得る。
【００６６】
[0070]ブロック６１０における機能を実行するための手段は、図１０に例示されおよび以下でより詳細に説明される基地局１０００のバス１００５、（１つまたは複数の）処理ユニット１０１０、メモリ１０６０、および／または他の構成要素などの、基地局の１つまたは複数の構成要素を備え得る。
【００６７】
[0071]ブロック６２０において、機能は、基地局を用いて、決定された１つまたは複数のシンボルにおいて、基準信号の電力が割り振られた周波数帯域の複数の不連続サブバンドを占有するように、周波数帯域の第１の部分上で基準信号を送信することを備える。ここで、割り振られた周波数帯域の複数の不連続サブバンドは、割り振られた周波数帯域の帯域幅より少ない総帯域幅を有する。例えば、基準信号は、割り振られた総帯域幅（例えば、１０ＭＨｚ）よりも全体でより少ない帯域幅（例えば、５ＭＨｚ）を占有する、下側サブバンド３３０−１と上側サブバンド３３０−２とを有する、図３Ｃのグラフ３００−３の例に例示されたものと同様の電力プロファイルを使用して送信され得る。このような事例では、下側サブバンドの帯域幅は、上側サブバンドの帯域幅と実質的に同じであり得る。これらのサブバンドは、バンドの各々より大きい周波数ギャップによって分離され得る。すなわち、下側サブバンドと上側サブバンドとの間の周波数帯域の周波数の帯域幅は、下側サブバンドまたは上側サブバンドのいずれかの帯域幅よりも大きくなり得る。いくつかの事例では、下側サブバンドと上側サブバンドとの間の周波数帯域の周波数の帯域幅は、下側サブバンドと上側サブバンドとの組み合わされた帯域幅と実質的に同じであり得る。（この場合も先と同様に、グラフ３００−３に例示されたように、下側および上側またはサブバンド３３０は、それらの組み合わされた帯域幅と同じぐらい大きいノッチ（notch）によって分離され得るが、ノッチサイズは、代替の実施形態では異なり得る。）
[0072]図５に例示されたように、異なる基準信号は、異なるサブバンドを占有し、および／または異なる周期性を有し得る。例えば、基地局は、基準信号の電力が、割り振られた周波数帯域の複数の不連続サブバンドとは異なる、割り振られた周波数帯域の１つまたは複数のサブバンドを占有するように、周波数帯域の第２の部分上で第２の基準信号をさらに送信し得る。ここで、第２の基準信号を送信する基地局は、第１の基準信号を送信する基地局と同じであるか、または異なり得る。
【００６８】
[0073]上記の実施形態で説明されたように、基準信号は、基地局アイソレーションのために所定のコードを用いて符号化され得る。さらに、コードは、必要に応じて切り捨てられるか、またはゼロパディングされ得る。いくつかの実施形態によれば、Ｚａｄｏｆｆ−Ｃｈｕコードが使用され得る。
【００６９】
[0074]ブロック６２０における機能を実行するための手段は、図１０に例示されおよび以下でより詳細に説明される基地局１０００のバス１００５、（１つまたは複数の）処理ユニット１０１０、ワイヤレス通信インターフェース１０３０、メモリ１０６０、および／または他の構成要素などの、基地局の１つまたは複数の構成要素を備え得る。
【００７０】
[0075]図７は、ある実施形態による、ワイヤレスネットワークにおける基地局から受信される基準信号を検出する方法７００を例示するフロー図であり、これは、上記で説明され、図１および図３〜図５に例示された実施形態の態様によるＵＥの機能を例示する。ブロックの機能を実行するための手段は、図８に例示されおよび以下でより詳細に説明されるような、ＵＥ１０５のソフトウェアおよび／またはハードウェア構成要素を含み得る。
【００７１】
[0076]ブロック７１０において、機能は、ＵＥを用いて、その間に基準信号が割り振られた周波数帯域上で送信されることになる、１つまたは複数のリソースブロックの、１つまたは複数のシンボルを決定することを含み、割り振られた周波数帯域は、中心周波数を中心とし、最小周波数と最大周波数とを有する。この場合も先と同様に、この決定は、基準信号の送信のために使用される個々のリソース要素、ＰＲＢを決定することをさらに備え得る。上記で説明された実施形態で述べられたように、この決定は、ロケーションサーバから受信された情報に基づき得る。すなわち、ＵＥは、ロケーションサーバから、割り振られた周波数帯域のインジケーションを受信し得、このインジケーションは、基準信号を通信するために使用される割り振られた周波数帯域の複数の不連続サブバンドの各サブバンドについてのオフセット、複数の不連続サブバンドの各サブバンドについての帯域幅、基準信号の周期性、基準信号の持続時間、またはこれらの任意の組合せのインジケーションを含み得る。
【００７２】
[0077]ブロック７１０における機能を実行するための手段は、例えば、図８に例示されおよび以下でより詳細に説明されるようなＵＥ１０５のバス８０５、（１つまたは複数の）処理ユニット８１０、ワイヤレス通信インターフェース８３０、メモリ８６０、および／または他のハードウェアおよび／またはソフトウェア構成要素を備え得る。
【００７３】
[0078]ブロック７２０において、機能は、ＵＥを用いておよび決定された１つまたは複数のシンボルにおいて、割り振られた周波数帯域の一部分上で基準信号を受信することを備え、ここにおいて、基準信号の電力は、割り振られた周波数帯域の複数の不連続サブバンドを占有し、割り振られた周波数帯域の複数の不連続サブバンドは、割り振られた周波数帯域の帯域幅より少ない総帯域幅を有する。図３Ａ〜図３Ｃに例示された例で述べられたように、基準信号を通信するために使用されるサブバンドは、割り振られた総周波数帯域の一部分のみを備え得る。ＵＥは、基準信号を送信するために使用されるリソース要素を決定することによって、基準信号を「リッスンする」ために、ブロック７１０における決定を使用し得る。
【００７４】
[0079]ブロック７２０における機能を実行するための手段は、例えば、図８に例示されおよび以下でより詳細に説明されるようなＵＥ１０５のバス８０５、（１つまたは複数の）処理ユニット８１０、ワイヤレス通信インターフェース８３０、メモリ８６０、および／または、他のハードウェアおよび／またはソフトウェア構成要素を備え得る。
【００７５】
[0080]ブロック７３０において、機能は、ＵＥを用いて基準信号を処理することを備える。上記で説明された実施形態で示されたように、基準信号は、受信デバイスが、そこから基準信号が送信された基地局を決定するのに役立てるために、Ｚａｄｏｆｆ−Ｃｈｕコードなどの所定のコードを用いて符号化され得る。したがって、信号処理の一部として、次いで、基準信号は、所定のコードを用いて相互相関され得、それは、所定のコードの長さが一致し、そのようなコードについての割り振られた長さを確保するのに役立てるために、必要に応じて（および本明細書で上記に説明されたように）切り捨ておよび／またはゼロパディングされ得る。ＵＥは、基準信号を処理することに基づいて、基準信号が受信された時間を決定し得る。
【００７６】
[0081]ブロック７２０における機能を実行するための手段は、例えば、図８に例示されおよび以下でより詳細に説明されるようなＵＥ１０５のバス８０５、（１つまたは複数の）処理ユニット８１０、メモリ８６０、および／または、他のハードウェアおよび／またはソフトウェア構成要素を備え得る。
【００７７】
[0082]いくつかの実施形態は、ワイヤレス電気通信ネットワークにおけるロケーションサーバ（または他のエンティティ）による基準信号割振りの方法をさらに含み得る。このような実施形態では、方法は、その間に第１の基準信号が基地局によって割り振られた周波数帯域上で送信されることになる、１つまたは複数のリソースブロックの、１つまたは複数のシンボルを決定することを備え得、割り振られた周波数帯域は、中心周波数を中心とし、最小周波数と最大周波数とを有する。方法は、基地局に、その間に第１の基準信号が送信されることになる、１つまたは複数のリソースブロックの、決定された１つまたは複数のシンボル、および第１の基準信号が送信されることになる割り振られた周波数帯域の複数の不連続サブバンドのインジケーションを送ることをさらに備え得、割り振られた周波数帯域の複数の不連続サブバンドは、割り振られた周波数帯域の帯域幅より少ない総帯域幅を有する。このような方法の機能のうちの１つまたは複数を実行するための手段は、例えば、図９に例示されおよび以下でより詳細に説明されるようなコンピュータシステム９００のバス９０５、（１つまたは複数の）処理ユニット９１０、メモリ９３５、通信サブシステム９３０、および／または、他のハードウェアおよび／またはソフトウェア構成要素を備え得る。
【００７８】
[0083]図８は、（例えば、図１〜図７に関連して）本明細書で上記に説明されたように利用され得るＵＥ１０５の実施形態を例示する。例えば、ＵＥ１０５は、図７の方法７００の機能のうちの１つまたは複数を実行し得る。図８は、様々な構成要素の一般化された例示を提供することのみを意図しており、それらのいずれかまたは全てが適宜に利用され得ることに留意されたい。いくつかの事例では、図８によって例示される構成要素は、単一の物理デバイスに局所化され、および／または、異なる物理的なロケーションに配置され得る（例えば、ユーザの身体の異なる部分に位置し、このケースでは、これら構成要素は、パーソナルエリアネットワーク（ＰＡＮ）および／または他の手段を介して通信可能に接続され得る）様々なネットワーク化されたデバイス間で分散され得ることが留意され得る。
【００７９】
[0084]バス８０５を介して電気的に結合され得る（または、適宜、他の方法で通信状態にあり得る）ハードウェア要素を備えるＵＥ１０５が示される。ハードウェア要素は、（１つまたは複数の）処理ユニット８１０を含み得、これは、限定はしないが、１つまたは複数の汎用プロセッサ、１つまたは複数の専用プロセッサ（デジタルシグナルプロセッサ（ＤＳＰ）チップ、グラフィックスアクセラレーションプロセッサ、特定用途向け集積回路（ＡＳＩＣ）、および／または同様のものなど）、および／または、他の処理構造または手段を含み得る。図８に示されるように、いくつかの実施形態は、所望の機能に依存して、別個のＤＳＰ８２０を有し得る。ワイヤレス通信に基づくロケーション決定および／または他の決定は、（以下で説明される）（１つまたは複数の）処理ユニット８１０および／またはワイヤレス通信インターフェース８３０において提供され得る。ＵＥ１０５はまた、限定はしないが、キーボード、タッチスクリーン、タッチパッド、マイクロフォン、（１つまたは複数の）ボタン、（１つまたは複数の）ダイアル、（１つまたは複数の）スイッチ、および／または同様のものを含み得る１つまたは複数の入力デバイス８７０と、限定はしないが、ディスプレイ、発光ダイオード（ＬＥＤ）、スピーカ、および／または同様のものを含み得る１つまたは複数の出力デバイス８１５とを含み得る。
【００８０】
[0085]ＵＥ１０５はまた、ワイヤレス通信インターフェース８３０を含み得、これは、限定はしないが、モデム、ネットワークカード、赤外線通信デバイス、ワイヤレス通信デバイス、および／またはチップセット（Ｂｌｕｅｔｏｏｔｈ（登録商標）デバイス、ＩＥＥＥ８０２．１１デバイス、ＩＥＥＥ８０２．１５．４デバイス、ＷｉＦｉデバイス、ＷｉＭａｘデバイス、セルラ通信設備など）、および／または同様のものを備え得、これは、ＵＥ１０５が、図１に関して上記で説明されたネットワークを介して通信することを可能にし得る。ワイヤレス通信インターフェース８３０は、データおよびシグナリングが、ネットワーク、ｅＮＢ、ｇＮＢ、ｎｇ−ｅＮＢ、および／または他のネットワーク構成要素、コンピュータシステム、および／または本明細書で説明されるその他任意の電子デバイスと通信される（例えば、送信および受信される）ことを許可し得る。通信は、ワイヤレス信号８３４を送るおよび／または受信する１つまたは複数のワイヤレス通信アンテナ８３２を介して行われ得る。
【００８１】
[0086]所望の機能に依存して、ワイヤレス通信インターフェース８３０は、ワイヤレスデバイスおよびアクセスポイントなどの、他の地上トランシーバおよび基地局（例えば、ｎｇ−ｅＮＢおよびｇＮＢ）と通信するための別個のトランシーバを備え得る。ＵＥ１０５は、様々なネットワークタイプを備え得る異なるデータネットワークと通信し得る。例えば、ワイヤレスワイドエリアネットワーク（ＷＷＡＮ）は、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ＷｉＭａｘ（ＩＥＥＥ８０２．１６）ネットワークなどであり得る。ＣＤＭＡネットワークは、ｃｄｍａ２０００、広帯域ＣＤＭＡ（ＷＣＤＭＡ）などのような、１つまたは複数の無線アクセス技術（ＲＡＴ）をインプリメントし得る。ｃｄｍａ２０００は、ＩＳ−９５、ＩＳ−２０００、および／またはＩＳ−８５６規格を含む。ＴＤＭＡネットワークは、ＧＳＭ、デジタルアドバンストモバイル電話システム（Ｄ−ＡＭＰＳ）、または何らかの他のＲＡＴをインプリメントし得る。ＯＦＤＭＡネットワークは、ＬＴＥ、ＬＴＥアドバンスト、５Ｇ  ＮＲなどを用い得る。５Ｇ  ＮＲ、ＬＴＥ、ＬＴＥアドバンスト、ＧＳＭ、およびＷＣＤＭＡは、第３世代パートナーシッププロジェクト（３ＧＰＰ）からの文書に説明されている。ｃｄｍａ２０００は、「第３世代パートナーシッププロジェクト２」（３ＧＰＰ２）という名称のコンソーシアムからの文書に説明されている。３ＧＰＰおよび３ＧＰＰ２の文書は、公的に入手可能である。ワイヤレスローカルエリアネットワーク（ＷＬＡＮ）はまた、ＩＥＥＥ８０２．１１ｘネットワークであり得、ワイヤレスパーソナルエリアネットワーク（ＷＰＡＮ）は、Ｂｌｕｅｔｏｏｔｈネットワーク、ＩＥＥＥ８０２．１５ｘ、または何らかの他のタイプのネットワークであり得る。本明細書で説明された技法はまた、ＷＷＡＮ、ＷＬＡＮ、および／またはＷＰＡＮの任意の組合せのために使用され得る。
【００８２】
[0087]ＵＥ１０５は、（１つまたは複数の）センサ８４０をさらに含み得る。センサ８４０は、限定はしないが、１つまたは複数の慣性センサおよび／または他のセンサ（例えば、（１つまたは複数の）加速度計、（１つまたは複数の）ジャイロスコープ、（１つまたは複数の）カメラ、（１つまたは複数の）磁力計、（１つまたは複数の）高度計、（１つまたは複数の）マイクロフォン、（１つまたは複数の）近接センサ、（１つまたは複数の）光センサ、（１つまたは複数の）気圧計、および同様のもの）を備え得、これらのうちのいくつかは、本明細書で説明されたポジション決定を補完および／または促進するために使用され得る。
【００８３】
[0088]ＵＥ１０５の実施形態はまた、アンテナ８８２（これは、アンテナ８３２と同じであり得る）を使用して、１つまたは複数のＧＮＳＳ衛星（例えば、ＳＶ１９０）から信号８８４を受信することが可能なＧＮＳＳ受信機８８０を含み得る。ＧＮＳＳ信号測定に基づく測位は、本明細書で説明された技法を補完および／または組み込むために利用され得る。ＧＮＳＳ受信機８８０は、全地球測位システム（ＧＰＳ）、ガリレオ、グロナス、日本上空の準天頂衛星システム（ＱＺＳＳ）、インド上空のインド地域航法衛星システム（ＩＲＮＳＳ）、中国上空の北斗、および／または同様のものなど、ＧＮＳＳシステムのＧＮＳＳ  ＳＶから、従来の技法を使用して、ＵＥ１０５のポジションを抽出し得る。さらに、ＧＮＳＳ受信機８８０は、例えば、広域補強システム（ＷＡＡＳ）、欧州静止衛星航法オーバレイサービス（ＥＧＮＯＳ）、運輸多目的衛星用衛星航法補強システム（ＭＳＡＳ）、および静止衛星補強航法システム（ＧＡＧＡＮ）、および／または同様のものなどの、１つまたは複数の全地球および／または地域航法衛星システムに関連付けられるか、またはさもなければ、それらとの使用のために有効にされ得る様々な補強システム（例えば、静止衛星型衛星航法補強システム（ＳＢＡＳ））と共に使用され得る。
【００８４】
[0089]ＵＥ１０５は、メモリ８６０をさらに含み、および／またはそれと通信状態にあり得る。メモリ８６０は、限定はしないが、ローカルおよび／またはネットワークアクセス可能な記憶装置、ディスクドライブ、ドライブアレイ、光学記憶デバイス、プログラム可能で、フラッシュ更新可能であり得るランダムアクセスメモリ（「ＲＡＭ」）および／または読取専用メモリ（「ＲＯＭ」）などのソリッドステート記憶デバイス、および／または同様のものを含み得る。このような記憶デバイスは、限定はしないが、様々なファイルシステム、データベース構造、および／または同様のものを含む、任意の適切なデータ記憶をインプリメントするように構成され得る。
【００８５】
[0090]ＵＥ１０５のメモリ８６０はまた、オペレーティングシステム、デバイスドライバ、実行可能ライブラリ、および／または、本明細書で説明されるように、様々な実施形態によって提供されるコンピュータプログラムを備え得、および／または他の実施形態によって提供される方法をインプリメントしおよび／またはシステムを構成するように設計され得る、１つまたは複数のアプリケーションプログラムなどの他のコードを含む、ソフトウェア要素（図８には図示せず）を備え得る。単に例として、上述された（１つまたは複数の）方法に関して説明された１つまたは複数のプロシージャは、ＵＥ１０５（および／または、ＵＥ１０５内の（１つまたは複数の）処理ユニット８１０またはＤＳＰ８２０）によって実行可能である、メモリ８６０におけるコードおよび／または命令としてインプリメントされ得る。次いで、ある態様では、そのようなコードおよび／または命令は、説明された方法に従って、１つまたは複数の動作を実行するように汎用コンピュータ（または、他のデバイス）を構成および／または適合させるために使用され得る。
【００８６】
[0091]図９は、コンピュータシステム９００の実施形態を例示し、これは、ＮＧ−ＲＡＮ１３５および５ＧＣ１４０などの、５Ｇネットワークの様々な構成要素、および／または他のネットワークタイプの同様の構成要素を含む、通信システム（例えば、図１の通信システム１００）の１つまたは複数の構成要素に組み込まれおよび／または利用され得る。図９は、図８に関連して説明された方法などの、様々な他の実施形態によって提供された方法を実行し得るコンピュータシステム９００の一実施形態の概略図を提供する。図９は、様々な構成要素の一般化された例示を提供することのみを意図しており、それらのいずれかまたは全てが適宜に利用され得ることに留意されたい。したがって、図９は、どのように個々のシステム要素が、比較的別々の、または比較的より統合された方法でインプリメントされ得るかを広く例示する。加えて、図９によって例示される構成要素は、単一のデバイスに局所化され、および／または、異なる物理的または地理的なロケーションに配置され得る様々なネットワーク化されたデバイスの間で分散され得ることが留意され得る。いくつかの実施形態では、コンピュータシステム９００は、ＬＭＦ１２０、Ｅ−ＳＭＬＣ、ＳＵＰＬ  ＳＬＰ、および／または何らかの他のタイプの位置特定対応デバイス（location-capable device）に対応し得る。
【００８７】
[0092]バス９０５を介して電気的に結合され得る（または、適宜、他の方法で通信状態にあり得る）ハードウェア要素を備えるコンピュータシステム９００が示される。ハードウェア要素は、（１つまたは複数の）処理ユニット９１０を含み得、これは、限定はしないが、１つまたは複数の汎用プロセッサ、１つまたは複数の専用プロセッサ（デジタル信号処理チップ、グラフィックスアクセラレーションプロセッサ、および／または同様のものなど）、および／または他の処理構造を含み得、これは、図６に関連して説明された方法を含む、本明細書で説明された方法のうちの１つまたは複数を実行するように構成され得る。コンピュータシステム９００はまた、限定はしないが、マウス、キーボード、カメラ、マイクロフォン、および／または同様のものを含み得る１つまたは複数の入力デバイス９１５と、限定はしないが、ディスプレイデバイス、プリンタ、および／または同様のものを含み得る１つまたは複数の出力デバイス９２０とを含み得る。
【００８８】
[0093]コンピュータシステム９００は、１つまたは複数の非一時的な記憶デバイス９２５をさらに含み（および／または、それと通信状態にあり）得、これは、限定はしないが、ローカルおよび／またはネットワークアクセス可能な記憶装置を備え得、および／または、限定はしないが、ディスクドライブ、ドライブアレイ、光学記憶デバイス、プログラム可能で、フラッシュ更新可能であり得るＲＡＭおよび／またはＲＯＭなどのソリッドステート記憶デバイス、および／または同様のものを含み得る。このような記憶デバイスは、限定はしないが、様々なファイルシステム、データベース構造、および／または同様のものを含む、任意の適切なデータ記憶をインプリメントするように構成され得る。
【００８９】
[0094]コンピュータシステム９００はまた、通信サブシステム９３０を含み得、これは、ワイヤレス通信インターフェース９３３によって管理および制御される（いくつかの実施形態では）ワイヤレス通信技術および／またはワイヤライン通信技術のサポートを含み得る。通信サブシステム９３０は、モデム、ネットワークカード（ワイヤレスまたはワイヤード）、赤外線通信デバイス、ワイヤレス通信デバイス、および／またはチップセット、および／または同様のものを含み得る。通信サブシステム９３０は、データおよびシグナリングが、ネットワーク、モバイルデバイス、他のコンピュータシステム、および／または本明細書で説明されたその他任意の電子デバイスと交換されることを許可するために、ワイヤレス通信インターフェース９３３などの、１つまたは複数の入力および／または出力通信インターフェースを含み得る。
【００９０】
[0095]多くの実施形態では、コンピュータシステム９００は、ＲＡＭおよび／またはまたはＲＯＭデバイスを含み得る、ワーキングメモリ９３５をさらに備えることになる。ワーキングメモリ９３５内に位置するものとして示されるソフトウェア要素は、オペレーティングシステム９４０、デバイスドライバ、実行可能ライブラリ、および／または、本明細書で説明されるように、様々な実施形態によって提供されるコンピュータプログラムを備え得、および／または他の実施形態によって提供される方法をインプリメントし、および／またはシステムを構成するように設計され得る（１つまたは複数の）アプリケーション９４５などの他のコードを含み得る。単に例として、図８に関連して説明された方法などの、上述された（１つまたは複数の）方法に関して説明された１つまたは複数のプロシージャは、ワーキングメモリ９３５に（例えば、一時的に）記憶されかつコンピュータ（および／または、（１つまたは複数の）処理ユニット９１０などの、コンピュータ内の処理ユニット）によって実行可能であるコードおよび／または命令としてインプリメントされ得、次いで、ある態様では、このようなコードおよび／または命令は、説明された方法に従って１つまたは複数の動作を実行するように汎用コンピュータ（または、他のデバイス）を構成および／または適合させるために使用され得る。
【００９１】
[0096]これらの命令および／またはコードのセットは、上記で説明された（１つまたは複数の）記憶デバイス９２５などの、非一時的なコンピュータ可読記憶媒体上に記憶され得る。いくつかのケースでは、記憶媒体は、コンピュータシステム９００などの、コンピュータシステム内に組み込まれ得る。他の実施形態では、記憶媒体は、コンピュータシステムとは別個であり（例えば、光ディスクなどのリムーバブル媒体）、および／または、インストールパッケージにおいて提供され得、これにより、記憶媒体は、その上に記憶された命令／コードを用いて汎用コンピュータをプログラム、構成、および／または適合させるために使用され得る。これらの命令は、コンピュータシステム９００によって実行可能である実行可能コードの形態を取り得、および／または、ソースおよび／またはインストール可能コードの形態を取り得、これは、（例えば、様々な一般的に利用可能なコンパイラ、インストールプログラム、圧縮／解凍ユーティリティなどのうちの任意のものを使用した）コンピュータシステム９００上でのコンパイルおよび／またはインストールの際には、実行可能コードの形態を取る。
【００９２】
[0097]図１０は、（例えば、図１〜図７に関連して）本明細書で上記に説明されたように利用され得る基地局１０００の実施形態を例示する。例えば、基地局１０００は、図６の方法６００の機能のうちの１つまたは複数を実行し得る。図１０は、様々な構成要素の一般化された例示を提供することのみを意図しており、それらのいずれかまたは全てが適宜に利用され得ることに留意されたい。いくつかの実施形態では、基地局１０００は、本明細書で上記に説明されたようなｇＮＢ１１０、ｎｇ−ｅＮＢ１１４、および／またはｅＮＢに対応し得る。
【００９３】
[0098]バス１００５を介して電気的に結合され得る（または、適宜、他の方法で通信状態にあり得る）ハードウェア要素を備える基地局１０００が示される。ハードウェア要素は、（１つまたは複数の）処理ユニット１０１０を含み得、これは、限定はしないが、１つまたは複数の汎用プロセッサ、１つまたは複数の専用プロセッサ（ＤＳＰチップ、グラフィックスアクセラレーションプロセッサ、ＡＳＩＣ、および／または同様のものなど）、および／または、他の処理構造または手段を含み得る。図１０に示されるように、いくつかの実施形態は、所望の機能に依存して、別個のＤＳＰ１０２０を有し得る。ワイヤレス通信に基づくロケーション決定および／または他の決定は、いくつかの実施形態に従って、（以下で説明される）（１つまたは複数の）処理ユニット１０１０および／またはワイヤレス通信インターフェース１０３０において提供され得る。基地局１０００はまた、限定はしないが、キーボード、ディスプレイ、マウス、マイクロフォン、（１つまたは複数の）ボタン、（１つまたは複数の）ダイアル、（１つまたは複数の）スイッチ、および／または同様のものを含み得る１つまたは複数の入力デバイス１０７０と、限定はしないが、ディスプレイ、発光ダイオード（ＬＥＤ）、スピーカ、および／または同様のものを含み得る１つまたは複数の出力デバイス１０１５とを含み得る。
【００９４】
[0099]基地局１０００はまた、ワイヤレス通信インターフェース１０３０を含み得、これは、限定はしないが、モデム、ネットワークカード、赤外線通信デバイス、ワイヤレス通信デバイス、および／またはチップセット（Ｂｌｕｅｔｏｏｔｈ（登録商標）デバイス、ＩＥＥＥ８０２．１１デバイス、ＩＥＥＥ８０２．１５．４デバイス、ＷｉＦｉデバイス、ＷｉＭａｘデバイス、セルラ通信設備など）、および／または同様のものを備え得、これは、基地局１０００が、本明細書で説明されたように通信することを可能にし得る。ワイヤレス通信インターフェース１０３０は、データおよびシグナリングが、ＵＥ、他の基地局（例えば、ｅＮＢ、ｇＮＢ、およびｎｇ−ｅＮＢ）、および／または他のネットワーク構成要素、コンピュータシステム、および／または本明細書で説明されたその他任意の電子デバイスと通信される（例えば、送信および受信される）ことを許可し得る。通信は、ワイヤレス信号１０３４を送るおよび／または受信する１つまたは複数のワイヤレス通信アンテナ１０３２を介して行われ得る。
【００９５】
[0100]基地局１０００はまた、ネットワークインターフェース１０８０を含み得、これは、ワイヤライン通信技術のサポートを含み得る。ネットワークインターフェース１０８０は、モデム、ネットワークカード、チップセット、および／または同様のものを含み得る。ネットワークインターフェース１０８０は、データが、ネットワーク、通信ネットワークサーバ、コンピュータシステム、および／または本明細書で説明されたその他任意の電子デバイスと交換されることを許可するために、１つまたは複数の入力および／または出力通信インターフェースを含み得る。
【００９６】
[0101]多くの実施形態では、基地局１０００は、メモリ１０６０をさらに備えることになる。メモリ７６０は、限定はしないが、ローカルおよび／またはネットワークアクセス可能な記憶装置、ディスクドライブ、ドライブアレイ、光学記憶デバイス、プログラム可能で、フラッシュ更新可能であり得るＲＡＭおよび／またはＲＯＭなどのソリッドステート記憶デバイス、および／または同様のものを含み得る。このような記憶デバイスは、限定はしないが、様々なファイルシステム、データベース構造、および／または同様のものを含む、任意の適切なデータ記憶をインプリメントするように構成され得る。
【００９７】
[0102]基地局１０００のメモリ１０６０はまた、オペレーティングシステム、デバイスドライバ、実行可能ライブラリ、および／または、本明細書で説明されるように、様々な実施形態によって提供されるコンピュータプログラムを備え得、および／または他の実施形態によって提供される方法をインプリメントしおよび／またはシステムを構成するように設計され得る、１つまたは複数のアプリケーションプログラムなどの他のコードを含む、ソフトウェア要素（図１０には図示せず）を備え得る。単に例として、上述された（１つまたは複数の）方法に関して説明された１つまたは複数のプロシージャは、基地局１０００（および／または、基地局１０００内の（１つまたは複数の）処理ユニット１０１０またはＤＳＰ１０２０）によって実行可能である、メモリ１０６０におけるコードおよび／または命令としてインプリメントされ得る。次いで、ある態様では、そのようなコードおよび／または命令は、説明された方法に従って、１つまたは複数の動作を実行するように汎用コンピュータ（または、他のデバイス）を構成および／または適合させるために使用され得る。
【００９８】
[0103]実質的な変形が特定の要件に従ってなされ得ることが、当業者には明らかであろう。例えば、カスタマイズされたハードウェアもまた使用され得、および／または、特定の要素が、ハードウェア、（アプレットなどのポータブルソフトウェアなどを含む）ソフトウェア、または両方でインプリメントされ得る。さらに、ネットワーク入力／出力デバイスなどの他のコンピューティングデバイスへの接続が用いられ得る。
【００９９】
[0104]当業者であれば、本説明による、例となる非一時的なコンピュータ可読媒体が、ワイヤレス電気通信ネットワークにおける基地局を用いて基準信号を提供するための、その上に埋め込まれた命令を含み得ることを認識するであろう。命令は、その間に第１の基準信号が割り振られた周波数帯域上で送信されることになる、１つまたは複数のリソースブロックの、１つまたは複数のシンボルを決定するためのコンピュータコードを備え得、割り振られた周波数帯域は、中心周波数を中心とし、最小周波数と最大周波数とを有する。命令は、基地局を用いておよび決定された１つまたは複数のシンボル中に、第１の基準信号の電力が割り振られた周波数帯域の複数の不連続サブバンドを占有するように、割り振られた周波数帯域の第１の部分上で第１の基準信号を送信するためのコンピュータコードをさらに備え得、割り振られた周波数帯域の複数の不連続サブバンドは、割り振られた周波数帯域の帯域幅より少ない総帯域幅を有する。
【０１００】
[0105]当業者であればまた、本説明による、例となる非一時的なコンピュータ可読媒体が、ワイヤレス電気通信ネットワークにおける基地局から受信される基準信号を検出するための、その上に埋め込まれた命令を含み得ることを認識するであろう。命令は、ユーザ機器（ＵＥ）を用いて、その間に基準信号が割り振られた周波数帯域を介して送信されることになる、１つまたは複数のリソースブロックの、１つまたは複数のシンボルを決定するためのコンピュータコードを備え得、割り振られた周波数帯域は、中心周波数を中心とし、最小周波数と最大周波数とを有する。命令は、ＵＥを用いておよび決定された１つまたは複数のシンボル中に、割り振られた周波数帯域の一部分上で基準信号を受信するためのコンピュータコードをさらに備え得、ここにおいて、基準信号の電力は、割り振られた周波数帯域の複数の不連続サブバンドを占有し、割り振られた周波数帯域の複数の不連続サブバンドは、割り振られた周波数帯域の帯域幅より少ない総帯域幅を有する。命令はまた、ＵＥを用いて基準信号を処理するためのコンピュータコードを備え得る。
【０１０１】
[0106]添付の図面を参照すると、メモリを含み得る構成要素は、非一時的な機械可読媒体を含み得る。本明細書で使用される場合、「機械可読媒体」および「コンピュータ可読媒体」という用語は、機械を特定のやり方で動作させるデータを提供することに参加する任意の記憶媒体を指す。以上で提供された実施形態では、様々な機械可読媒体は、実行のために処理ユニットおよび／または（１つまたは複数の）他のデバイスに命令／コードを提供することに関与し得る。追加または代替として、機械可読媒体は、このような命令／コードを記憶および／または搬送するために使用され得る。多くのインプリメンテーションでは、コンピュータ可読媒体は、物理的なおよび／または有形の記憶媒体である。このような媒体は、限定はしないが、不揮発性媒体、揮発性媒体、および伝送媒体を含む、多くの形態を取り得る。コンピュータ可読媒体の一般的な形態は、例えば、磁気媒体および／または光学媒体、パンチカード、紙テープ、孔のパターンを有するその他任意の物理的な媒体、ＲＡＭ、ＰＲＯＭ、ＥＰＲＯＭ、ＦＬＡＳＨ−ＥＰＲＯＭ、その他任意のメモリチップまたはカートリッジ、以下に説明されるような搬送波、あるいはコンピュータがそこから命令および／またはコードを読み取ることができるその他任意の媒体を含む。
【０１０２】
[0107]本明細書で説明された方法、システム、およびデバイスは、例である。様々な実施形態は、適宜、様々なプロシージャまたは構成要素を省略、代用、または追加し得る。例えば、ある特定の実施形態に関して説明された特徴は、様々な他の実施形態において組み合わされ得る。実施形態の異なる態様および要素は、同様の方法で組み合わされ得る。本明細書で提供される図面の様々な構成要素は、ハードウェアおよび／またはソフトウェアにおいて具現化され得る。また、技術は発展し、したがって、要素の多くは、本開示の範囲をそれらの特定の例に限定しない例である。
【０１０３】
[0108]主に一般的な使用法の理由から、このような信号を、ビット、情報、値、要素、シンボル、文字、変数、項、数、数字、または同様のものとして参照することが、時として便利であることがわかっている。しかしながら、これらまたは同様の用語の全てが、適切な物理量に関連付けられるべきであり、単なる便利なラベルにすぎないことが理解されるべきである。別段に明記されていない限り、上記の説明から明らかであるように、本明細書全体にわたって、「処理する」、「計算する」、「算出する」、「決定する」、「確認する」、「識別する」、「関連付ける」、「測定する」、「実行する」、または同様のことなどの用語を利用した説明は、専用コンピュータまたは同様の専用電子コンピューティングデバイスなどの、特定の装置のアクションまたはプロセスを指すことが理解される。したがって、本明細書のコンテキストでは、専用コンピュータまたは同様の専用電子コンピューティングデバイスは、専用コンピュータまたは同様の専用電子コンピューティングデバイスのメモリ、レジスタ、または他の情報記憶デバイス、送信デバイス、またはディスプレイデバイス内の、物理的な電子的、電気的、または磁気的な量として典型的に表される信号を操作または変換することが可能である。
【０１０４】
[0109]本明細書で使用される場合、「および（and）」および「または（or）」という用語は、このような用語が使用されるコンテキストに少なくとも部分的に依存することも予想される、様々な意味を含み得る。典型的に、「または」は、Ａ、Ｂ、またはＣなどの列挙を関連付けるために使用される場合、ここで包含的な意味で使用される場合は、Ａ、Ｂ、およびＣを意味し、ならびに、ここで排他的な意味で使用される場合は、Ａ、Ｂ、またはＣを意味するように意図される。加えて、本明細書で使用される場合、「１つまたは複数」という用語は、単数形における任意の特徴、構造、または特性を説明するために使用され得、または特徴、構造、または特性の何らかの組合せを説明するために使用され得る。しかしながら、これは単なる例示的な例にすぎず、特許請求される主題は、この例に限定されるものではないことに留意されたい。さらに、「〜のうちの少なくとも１つ」という用語は、Ａ、Ｂ、またはＣなどの列挙を関連付けるために使用される場合、Ａ、ＡＢ、ＡＡ、ＡＡＢ、ＡＡＢＢＣＣＣなどのような、Ａ、Ｂ、および／またはＣの任意の組合せを意味すると解釈され得る。
【０１０５】
[0110]いくつかの実施形態が説明されてきたが、様々な修正、代替の構造、および同等物が、本開示の趣旨から逸脱することなく使用され得る。例えば、上記要素は、より大きいシステムの単なる構成要素にすぎず、ここにおいて、他の規則が、様々な実施形態のアプリケーションに優先するか、またはさもなければそれらを修正し得る。また、上記要素が考慮される前、考慮されている間、または考慮された後に、いくつかのステップが着手（undertaken）され得る。したがって、上記説明は、本開示の範囲を限定しない。
【図１】
2021509247.tif 000006
【図２】
2021509247.tif 000007
【図３Ａ】
2021509247.tif 000008
【図３Ｂ】
2021509247.tif 000009
【図３Ｃ】
2021509247.tif 000010
【図４Ａ】
2021509247.tif 000011
【図４Ｂ】
2021509247.tif 000012
【図４Ｃ】
2021509247.tif 000013
【図５】
2021509247.tif 000014
【図６】
2021509247.tif 000015
【図７】
2021509247.tif 000016
【図８】
2021509247.tif 000017
【図９】
2021509247.tif 000018
【図１０】
2021509247.tif 000019
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
ワイヤレス電気通信ネットワークにおける基地局を用いて基準信号を提供する方法であって、前記方法は、
割り振られた周波数帯域の複数の不連続サブバンドの各サブバンドについての周波数オフセットのインジケーションを受信することと、
前記複数の不連続サブバンドの各サブバンドについての前記周波数オフセットの前記インジケーションに少なくとも部分的に基づいて、その間に第１の基準信号が前記割り振られた周波数帯域上で送信されることになる、１つまたは複数のリソースブロックの、１つまたは複数のシンボルを決定することと、前記割り振られた周波数帯域は、中心周波数を中心とし、最小周波数と最大周波数とを有し、
前記基地局を用いておよび前記決定された１つまたは複数のシンボル中に、前記第１の基準信号の電力が前記割り振られた周波数帯域の前記複数の不連続サブバンドを占有するように、前記割り振られた周波数帯域の第１の部分上で前記第１の基準信号を送信することと、前記割り振られた周波数帯域の前記複数の不連続サブバンドは、前記割り振られた周波数帯域の帯域幅より少ない総帯域幅を有する、
を備える、方法。
【請求項２】
前記ワイヤレス電気通信ネットワークは、第５世代（５Ｇ）セルラネットワークを備える、請求項１に記載の方法。
【請求項３】
前記複数の不連続サブバンドは、下側サブバンドと上側サブバンドとの間の、前記割り振られた周波数帯域内の帯域幅を有する、前記下側サブバンドと前記上側サブバンドとを備え、前記下側サブバンドの帯域幅は、前記上側サブバンドの帯域幅と実質的に同じである、請求項１に記載の方法。
【請求項４】
前記下側サブバンドと前記上側サブバンドとの間の、前記割り振られた周波数帯域内の前記帯域幅は、前記下側サブバンドまたは前記上側サブバンドのいずれかの帯域幅より大きい、請求項３に記載の方法。
【請求項５】
前記下側サブバンドと前記上側サブバンドとの間の、前記割り振られた周波数帯域内の前記帯域幅は、前記下側サブバンドと前記上側サブバンドとの組み合わされた帯域幅と実質的に同じである、請求項４に記載の方法。
【請求項６】
第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信することをさらに備える、請求項１に記載の方法。
【請求項７】
第１の周期性で、前記割り振られた周波数帯域の前記第１の部分上で前記第１の基準信号を送信することと、前記第１の周期性とは異なる第２の周期性で、前記割り振られた周波数帯域の前記第２の部分上で前記第２の基準信号を送信することとをさらに備える、請求項６に記載の方法。
【請求項８】
前記第１の基準信号を送信することは、Ｚａｄｏｆｆ−Ｃｈｕコードを用いて前記基準信号を符号化することを備える、請求項１に記載の方法。
【請求項９】
前記複数の不連続サブバンドの各サブバンドについての前記周波数オフセットの前記インジケーションは、ロケーションサーバから受信される、請求項１に記載の方法。
【請求項１０】
前記複数の不連続サブバンドの各サブバンドについての帯域幅、
前記第１の基準信号の周期性、
前記第１の基準信号の持続時間、または
これらの任意の組合せ、
のインジケーションを受信することをさらに備える、請求項９に記載の方法。
【請求項１１】
基地局であって、
ワイヤレス通信インターフェースと、
メモリと、
前記ワイヤレス通信インターフェースおよび前記メモリと通信可能に結合され、かつ、
割り振られた周波数帯域の複数の不連続サブバンドの各サブバンドについての周波数オフセットのインジケーションを受信することと、
前記複数の不連続サブバンドの各サブバンドについての前記周波数オフセットの前記インジケーションに少なくとも部分的に基づいて、その間に第１の基準信号が前記割り振られた周波数帯域上で送信されることになる、１つまたは複数のリソースブロックの、１つまたは複数のシンボルを決定することと、前記割り振られた周波数帯域は、中心周波数を中心とし、最小周波数と最大周波数とを有し、
前記ワイヤレス通信インターフェースを用いておよび前記決定された１つまたは複数のシンボル中に、前記第１の基準信号の電力が前記割り振られた周波数帯域の前記複数の不連続サブバンドを占有するように、前記割り振られた周波数帯域の第１の部分上で前記第１の基準信号を送信することと、前記割り振られた周波数帯域の前記複数の不連続サブバンドは、前記割り振られた周波数帯域の帯域幅より少ない総帯域幅を有する、
を行うように構成された処理ユニットと
を備える基地局。
【請求項１２】
前記基地局は、第５世代（５Ｇ）セルラネットワークを備えるワイヤレス電気通信ネットワークに組み込まれるように構成される、請求項１１に記載の基地局。
【請求項１３】
前記複数の不連続サブバンドは、下側サブバンドと上側サブバンドとの間の、前記割り振られた周波数帯域内の帯域幅を有する、前記下側サブバンドと前記上側サブバンドとを備え、前記下側サブバンドの帯域幅は、前記上側サブバンドの帯域幅と実質的に同じである、請求項１１に記載の基地局。
【請求項１４】
前記下側サブバンドと前記上側サブバンドとの間の、前記割り振られた周波数帯域内の前記帯域幅は、前記下側サブバンドまたは前記上側サブバンドのいずれかの帯域幅より大きい、請求項１３に記載の基地局。
【請求項１５】
前記下側サブバンドと前記上側サブバンドとの間の、前記割り振られた周波数帯域内の前記帯域幅は、前記下側サブバンドと前記上側サブバンドとの組み合わされた帯域幅と実質的に同じである、請求項１４に記載の基地局。
【請求項１６】
前記処理ユニットは、第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信するようにさらに構成される、請求項１１に記載の基地局。
【請求項１７】
前記処理ユニットは、第１の周期性で、前記割り振られた周波数帯域の前記第１の部分上で前記第１の基準信号を送信することと、前記第１の周期性とは異なる第２の周期性で、前記割り振られた周波数帯域の前記第２の部分上で前記第２の基準信号を送信することとを行うようにさらに構成される、請求項１６に記載の基地局。
【請求項１８】
前記処理ユニットは、少なくとも部分的に、Ｚａｄｏｆｆ−Ｃｈｕコードを用いて前記第１の基準信号を符号化することによって、前記第１の基準信号を送信するように構成される、請求項１１に記載の基地局。
【請求項１９】
前記処理ユニットは、ロケーションサーバから受信される、前記複数の不連続サブバンドの各サブバンドについての前記周波数オフセットの前記インジケーションを受信するように構成される、請求項１１に記載の基地局。
【請求項２０】
前記処理ユニットは、
前記複数の不連続サブバンドの各サブバンドについての帯域幅、
前記第１の基準信号の周期性、
前記第１の基準信号の持続時間、または
これらの任意の組合せ、
の前記インジケーションを受信するようにさらに構成される、請求項１９に記載の基地局。
【請求項２１】
デバイスであって、
割り振られた周波数帯域の複数の不連続サブバンドの各サブバンドについての周波数オフセットのインジケーションを受信するための手段と、
前記複数の不連続サブバンドの各サブバンドについての前記周波数オフセットの前記インジケーションに少なくとも部分的に基づいて、その間に第１の基準信号が前記割り振られた周波数帯域上で送信されることになる、１つまたは複数のリソースブロックの、１つまたは複数のシンボルを決定するための手段と、前記割り振られた周波数帯域は、中心周波数を中心とし、最小周波数と最大周波数とを有し、
前記決定された１つまたは複数のシンボル中に、前記第１の基準信号の電力が前記割り振られた周波数帯域の前記複数の不連続サブバンドを占有するように、前記割り振られた周波数帯域の第１の部分上で前記第１の基準信号を送信するための手段と、前記割り振られた周波数帯域の前記複数の不連続サブバンドは、前記割り振られた周波数帯域の帯域幅より少ない総帯域幅を有する、
を備えるデバイス。
【請求項２２】
第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信するための手段をさらに備える、請求項２１に記載のデバイス。
【請求項２３】
第１の周期性で、前記割り振られた周波数帯域の前記第１の部分上で前記第１の基準信号を送信し、前記第１の周期性とは異なる第２の周期性で、前記割り振られた周波数帯域の前記第２の部分上で前記第２の基準信号を送信するための手段をさらに備える、請求項２２に記載のデバイス。
【請求項２４】
前記第１の基準信号を前記送信するための手段は、Ｚａｄｏｆｆ−Ｃｈｕコードを用いて前記基準信号を符号化するための手段を備える、請求項２１に記載のデバイス。
【請求項２５】
ワイヤレス電気通信ネットワークにおける基地局から受信される基準信号を検出する方法であって、前記方法は、
割り振られた周波数帯域の複数の不連続サブバンドの各サブバンドについての周波数オフセットのインジケーションを受信することと、
ユーザ機器（ＵＥ）を用いておよび前記複数の不連続サブバンドの各サブバンドについての前記周波数オフセットの前記インジケーションに少なくとも部分的に基づいて、その間に前記基準信号が前記割り振られた周波数帯域を介して送信されることになる、１つまたは複数のリソースブロックの、１つまたは複数のシンボルを決定することと、前記割り振られた周波数帯域は、中心周波数を中心とし、最小周波数と最大周波数とを有し、
前記ＵＥを用いておよび前記決定された１つまたは複数のシンボル中に、前記割り振られた周波数帯域の一部分上で前記基準信号を受信することと、ここにおいて、前記基準信号の電力は、前記割り振られた周波数帯域の前記複数の不連続サブバンドを占有し、前記割り振られた周波数帯域の前記複数の不連続サブバンドは、前記割り振られた周波数帯域の前記帯域幅より少ない総帯域幅を有し、
前記ＵＥを用いて前記基準信号を処理することと
を備える、方法。
【請求項２６】
前記基準信号を処理することは、所定のコードを用いて前記信号の相互相関を実行することを備える、請求項２５に記載の方法。
【請求項２７】
前記基準信号を前記処理することに基づいて、前記基準信号が前記ＵＥによって受信された時間を決定することをさらに備える、請求項２５に記載の方法。
【請求項２８】
前記複数の不連続サブバンドの各サブバンドについての前記周波数オフセットの前記インジケーションは、ロケーションサーバから受信される、請求項２５に記載の方法。
【請求項２９】
前記複数の不連続サブバンドの各サブバンドについての帯域幅、
前記基準信号の周期性、
前記基準信号の持続時間、または
これらの任意の組合せ、
のインジケーションを受信することをさらに備える、請求項２８に記載の方法。
【請求項３０】
ユーザ機器（ＵＥ）であって、
ワイヤレス通信インターフェースと、
メモリと、
前記ワイヤレス通信インターフェースおよび前記メモリと通信可能に結合され、かつ、
割り振られた周波数帯域の複数の不連続サブバンドの各サブバンドについての周波数オフセットのインジケーションを受信することと、
前記複数の不連続サブバンドの各サブバンドについての前記周波数オフセットの前記インジケーションに少なくとも部分的に基づいて、その間に基準信号が、前記割り振られた周波数帯域を介して、ワイヤレス電気通信ネットワークにおける基地局によって送信されることになる、１つまたは複数のリソースブロックの、１つまたは複数のシンボルを決定することと、前記割り振られた周波数帯域は、中心周波数を中心とし、最小周波数と最大周波数とを有し、
前記決定された１つまたは複数のシンボル中に、前記割り振られた周波数帯域の一部分上で前記基準信号を受信することと、ここにおいて、前記基準信号の電力は、前記割り振られた周波数帯域の前記複数の不連続サブバンドを占有し、前記割り振られた周波数帯域の前記複数の不連続サブバンドは、前記割り振られた周波数帯域の前記帯域幅より少ない総帯域幅を有し、
前記基準信号を処理することと
を行うように構成された処理ユニットと
を備えるＵＥ。
【請求項３１】
前記処理ユニットは、少なくとも部分的に、所定のコードを用いて前記信号の相互相関を実行することによって、前記基準信号を処理するように構成される、請求項３０に記載のＵＥ。
【請求項３２】
前記処理ユニットは、前記基準信号を前記処理することに基づいて、前記基準信号が前記ＵＥによって受信された時間を決定するように構成される、請求項３０に記載のＵＥ。
【請求項３３】
前記処理ユニットは、ロケーションサーバから受信される、前記複数の不連続サブバンドの各サブバンドについての前記周波数オフセットの前記インジケーションを受信するようにさらに構成される、請求項３０に記載のＵＥ。
【請求項３４】
前記処理ユニットは、
前記複数の不連続サブバンドの各サブバンドについての帯域幅、
前記基準信号の周期性、
前記基準信号の持続時間、または
これらの任意の組合せ、
の前記インジケーションを受信するようにさらに構成される、請求項３３に記載のＵＥ。
【請求項３５】
デバイスであって、
割り振られた周波数帯域の複数の不連続サブバンドの各サブバンドについての周波数オフセットのインジケーションを受信するための手段と、
前記複数の不連続サブバンドの各サブバンドについての前記周波数オフセットの前記インジケーションに少なくとも部分的に基づいて、その間に基準信号が、前記割り振られた周波数帯域を介して、ワイヤレス電気通信ネットワークにおける基地局によって送信されることになる、１つまたは複数のリソースブロックの、１つまたは複数のシンボルを決定するための手段と、前記割り振られた周波数帯域は、中心周波数を中心とし、最小周波数と最大周波数とを有し、
前記決定された１つまたは複数のシンボル中に、前記割り振られた周波数帯域の一部分上で前記基準信号を受信するための手段と、ここにおいて、前記基準信号の電力は、前記割り振られた周波数帯域の前記複数の不連続サブバンドを占有し、前記割り振られた周波数帯域の前記複数の不連続サブバンドは、前記割り振られた周波数帯域の前記帯域幅より少ない総帯域幅を有し、
前記基準信号を処理するための手段と
を備えるデバイス。
【請求項３６】
前記基準信号を前記処理するための手段は、所定のコードを用いて前記信号の相互相関を実行するための手段を備える、請求項３５に記載のデバイス。
【請求項３７】
前記基準信号を前記処理することに基づいて、前記基準信号が前記デバイスによって受信された時間を決定するための手段をさらに備える、請求項３５に記載のデバイス。
【請求項３８】
ロケーションサーバから、前記割り振られた周波数帯域のインジケーションを受信することをさらに備える、その間に前記基準信号が送信されることになる、前記１つまたは複数のリソースブロックの、前記１つまたは複数のシンボルを決定するための手段をさらに備える、請求項３５に記載のデバイス。
【手続補正２】
【補正対象書類名】明細書
【補正対象項目名】０１０５
【補正方法】変更
【補正の内容】
【０１０５】
[0110]いくつかの実施形態が説明されてきたが、様々な修正、代替の構造、および同等物が、本開示の趣旨から逸脱することなく使用され得る。例えば、上記要素は、より大きいシステムの単なる構成要素にすぎず、ここにおいて、他の規則が、様々な実施形態のアプリケーションに優先するか、またはさもなければそれらを修正し得る。また、上記要素が考慮される前、考慮されている間、または考慮された後に、いくつかのステップが着手（undertaken）され得る。したがって、上記説明は、本開示の範囲を限定しない。
以下に本願の出願当初の特許請求の範囲に記載された発明を付記する。
［Ｃ１］  ワイヤレス電気通信ネットワークにおける基地局を用いて基準信号を提供する方法であって、前記方法は、
その間に第１の基準信号が割り振られた周波数帯域上で送信されることになる、１つまたは複数のリソースブロックの、１つまたは複数のシンボルを決定することと、前記割り振られた周波数帯域は、中心周波数を中心とし、最小周波数と最大周波数とを有し、
前記基地局を用いておよび前記決定された１つまたは複数のシンボル中に、前記第１の基準信号の電力が前記割り振られた周波数帯域の複数の不連続サブバンドを占有するように、前記割り振られた周波数帯域の第１の部分上で前記第１の基準信号を送信することと、前記割り振られた周波数帯域の前記複数の不連続サブバンドは、前記割り振られた周波数帯域の帯域幅より少ない総帯域幅を有する、
を備える、方法。
［Ｃ２］  前記ワイヤレス電気通信ネットワークは、第５世代（５Ｇ）セルラネットワークを備える、Ｃ１に記載の方法。
［Ｃ３］  前記複数の不連続サブバンドは、下側サブバンドと上側サブバンドとの間の、前記割り振られた周波数帯域内の帯域幅を有する、前記下側サブバンドと前記上側サブバンドとを備え、前記下側サブバンドの帯域幅は、前記上側サブバンドの帯域幅と実質的に同じである、Ｃ１に記載の方法。
［Ｃ４］  前記下側サブバンドと前記上側サブバンドとの間の、前記割り振られた周波数帯域内の前記帯域幅は、前記下側サブバンドまたは前記上側サブバンドのいずれかの帯域幅より大きい、Ｃ３に記載の方法。
［Ｃ５］  前記下側サブバンドと前記上側サブバンドとの間の、前記割り振られた周波数帯域内の前記帯域幅は、組み合わされた帯域幅すなわち前記下側サブバンドおよび前記上側サブバンドと実質的に同じである、Ｃ４に記載の方法。
［Ｃ６］  第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信することをさらに備える、Ｃ１に記載の方法。
［Ｃ７］  第１の周期性で、前記割り振られた周波数帯域の前記第１の部分上で前記第１の基準信号を送信することと、前記第１の周期性とは異なる第２の周期性で、前記割り振られた周波数帯域の前記第２の部分上で前記第２の基準信号を送信することとをさらに備える、Ｃ６に記載の方法。
［Ｃ８］  前記第１の基準信号を送信することは、Ｚａｄｏｆｆ−Ｃｈｕコードを用いて前記基準信号を符号化することを備える、Ｃ１に記載の方法。
［Ｃ９］  その間に前記第１の基準信号が前記割り振られた周波数帯域上で送信されることになる、前記１つまたは複数のリソースブロックの、前記１つまたは複数のシンボルを決定することは、ロケーションサーバから、前記割り振られた周波数帯域のインジケーションを受信することをさらに備える、Ｃ１に記載の方法。
［Ｃ１０］  前記割り振られた周波数帯域の前記インジケーションは、
前記複数の不連続サブバンドの各サブバンドについてのオフセット、
前記複数の不連続サブバンドの各サブバンドについての帯域幅、
前記第１の基準信号の周期性、
前記第１の基準信号の持続時間、または
これらの任意の組合せ、
のインジケーションを備える、Ｃ９に記載の方法。
［Ｃ１１］  基地局であって、
ワイヤレス通信インターフェースと、
メモリと、
前記ワイヤレス通信インターフェースおよび前記メモリと通信可能に結合され、かつ、
その間に第１の基準信号が割り振られた周波数帯域上で送信されることになる、１つまたは複数のリソースブロックの、１つまたは複数のシンボルを決定することと、前記割り振られた周波数帯域は、中心周波数を中心とし、最小周波数と最大周波数とを有し、
前記ワイヤレス通信インターフェースを用いておよび前記決定された１つまたは複数のシンボル中に、前記第１の基準信号の電力が前記割り振られた周波数帯域の複数の不連続サブバンドを占有するように、前記割り振られた周波数帯域の第１の部分上で前記第１の基準信号を送信することと、前記割り振られた周波数帯域の前記複数の不連続サブバンドは、前記割り振られた周波数帯域の帯域幅より少ない総帯域幅を有する、
を行うように構成された処理ユニットと
を備える基地局。
［Ｃ１２］  前記基地局は、第５世代（５Ｇ）セルラネットワークを備えるワイヤレス電気通信ネットワークに組み込まれるように構成される、Ｃ１１に記載の基地局。
［Ｃ１３］  前記複数の不連続サブバンドは、下側サブバンドと上側サブバンドとの間の、前記割り振られた周波数帯域内の帯域幅を有する、前記下側サブバンドと前記上側サブバンドとを備え、前記下側サブバンドの帯域幅は、前記上側サブバンドの帯域幅と実質的に同じである、Ｃ１１に記載の基地局。
［Ｃ１４］  前記下側サブバンドと前記上側サブバンドとの間の、前記割り振られた周波数帯域内の前記帯域幅は、前記下側サブバンドまたは前記上側サブバンドのいずれかの帯域幅より大きい、Ｃ１３に記載の基地局。
［Ｃ１５］  前記下側サブバンドと前記上側サブバンドとの間の、前記割り振られた周波数帯域内の前記帯域幅は、組み合わされた帯域幅すなわち前記下側サブバンドおよび前記上側サブバンドと実質的に同じである、Ｃ１４に記載の基地局。
［Ｃ１６］  前記処理ユニットは、第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信するようにさらに構成される、Ｃ１１に記載の基地局。
［Ｃ１７］  前記処理ユニットは、第１の周期性で、前記割り振られた周波数帯域の前記第１の部分上で前記第１の基準信号を送信することと、前記第１の周期性とは異なる第２の周期性で、前記割り振られた周波数帯域の前記第２の部分上で前記第２の基準信号を送信することとを行うようにさらに構成される、Ｃ１６に記載の基地局。
［Ｃ１８］  前記処理ユニットは、少なくとも部分的に、Ｚａｄｏｆｆ−Ｃｈｕコードを用いて前記第１の基準信号を符号化することによって、前記第１の基準信号を送信するように構成される、Ｃ１１に記載の基地局。
［Ｃ１９］  前記処理ユニットは、さらに少なくとも部分的に、ロケーションサーバから、前記割り振られた周波数帯域のインジケーションを受信することによって、その間に前記第１の基準信号が前記割り振られた周波数帯域上で送信されることになる、前記１つまたは複数のリソースブロックの、前記１つまたは複数のシンボルを決定するように構成される、Ｃ１１に記載の基地局。
［Ｃ２０］  前記処理ユニットは、
前記複数の不連続サブバンドの各サブバンドについてのオフセット、
前記複数の不連続サブバンドの各サブバンドについての帯域幅、
前記第１の基準信号の周期性、
前記第１の基準信号の持続時間、または
これらの任意の組合せ、
のインジケーションを備える、前記割り振られた周波数帯域の前記インジケーションを受信するように構成される、Ｃ１９に記載の基地局。
［Ｃ２１］  デバイスであって、
その間に第１の基準信号が割り振られた周波数帯域上で送信されることになる、１つまたは複数のリソースブロックの、１つまたは複数のシンボルを決定するための手段と、前記割り振られた周波数帯域は、中心周波数を中心とし、最小周波数と最大周波数とを有し、
前記決定された１つまたは複数のシンボル中に、前記第１の基準信号の電力が前記割り振られた周波数帯域の複数の不連続サブバンドを占有するように、前記割り振られた周波数帯域の第１の部分上で前記第１の基準信号を送信するための手段と、前記割り振られた周波数帯域の前記複数の不連続サブバンドは、前記割り振られた周波数帯域の帯域幅より少ない総帯域幅を有する、
を備えるデバイス。
［Ｃ２２］  第２の基準信号の電力が、前記割り振られた周波数帯域の前記複数の不連続サブバンドとは異なる、前記割り振られた周波数帯域の１つまたは複数のサブバンドを占有するように、前記割り振られた周波数帯域の第２の部分上で前記第２の基準信号を送信するための手段をさらに備える、Ｃ２１に記載のデバイス。
［Ｃ２３］  第１の周期性で、前記割り振られた周波数帯域の前記第１の部分上で前記第１の基準信号を送信し、前記第１の周期性とは異なる第２の周期性で、前記割り振られた周波数帯域の前記第２の部分上で前記第２の基準信号を送信するための手段をさらに備える、Ｃ２２に記載のデバイス。
［Ｃ２４］  前記第１の基準信号を前記送信するための手段は、Ｚａｄｏｆｆ−Ｃｈｕコードを用いて前記基準信号を符号化するための手段を備える、Ｃ２１に記載のデバイス。
［Ｃ２５］  ワイヤレス電気通信ネットワークにおける基地局から受信される基準信号を検出する方法であって、前記方法は、
ユーザ機器（ＵＥ）を用いて、その間に前記基準信号が割り振られた周波数帯域を介して送信されることになる、１つまたは複数のリソースブロックの、１つまたは複数のシンボルを決定することと、前記割り振られた周波数帯域は、中心周波数を中心とし、最小周波数と最大周波数とを有し、
前記ＵＥを用いておよび前記決定された１つまたは複数のシンボル中に、前記割り振られた周波数帯域の一部分上で前記基準信号を受信することと、ここにおいて、前記基準信号の電力は、前記割り振られた周波数帯域の複数の不連続サブバンドを占有し、前記割り振られた周波数帯域の前記複数の不連続サブバンドは、前記割り振られた周波数帯域の前記帯域幅より少ない総帯域幅を有し、
前記ＵＥを用いて前記基準信号を処理することと
を備える、方法。
［Ｃ２６］  前記基準信号を処理することは、所定のコードを用いて前記信号の相互相関を実行することを備える、Ｃ２５に記載の方法。
［Ｃ２７］  前記基準信号を前記処理することに基づいて、前記基準信号が前記ＵＥによって受信された時間を決定することをさらに備える、Ｃ２５に記載の方法。
［Ｃ２８］  その間に前記基準信号が送信されることになる、前記１つまたは複数のリソースブロックの、前記１つまたは複数のシンボルを決定することは、ロケーションサーバから、前記割り振られた周波数帯域のインジケーションを受信することをさらに備える、Ｃ２５に記載の方法。
［Ｃ２９］  前記割り振られた周波数帯域の前記インジケーションは、
前記複数の不連続サブバンドの各サブバンドについてのオフセット、
前記複数の不連続サブバンドの各サブバンドについての帯域幅、
前記基準信号の周期性、
前記基準信号の持続時間、または
これらの任意の組合せ、
のインジケーションを備える、Ｃ２８に記載の方法。
［Ｃ３０］  ユーザ機器（ＵＥ）であって、
ワイヤレス通信インターフェースと、
メモリと、
前記ワイヤレス通信インターフェースおよび前記メモリと通信可能に結合され、かつ、
その間に基準信号が、割り振られた周波数帯域を介して、ワイヤレス電気通信ネットワークにおける基地局によって送信されることになる、１つまたは複数のリソースブロックの、１つまたは複数のシンボルを決定することと、前記割り振られた周波数帯域は、中心周波数を中心とし、最小周波数と最大周波数とを有し、
前記決定された１つまたは複数のシンボル中に、前記割り振られた周波数帯域の一部分上で前記基準信号を受信することと、ここにおいて、前記基準信号の電力は、前記割り振られた周波数帯域の複数の不連続サブバンドを占有し、前記割り振られた周波数帯域の前記複数の不連続サブバンドは、前記割り振られた周波数帯域の前記帯域幅より少ない総帯域幅を有し、
前記基準信号を処理することと
を行うように構成された処理ユニットと
を備えるＵＥ。
［Ｃ３１］  前記処理ユニットは、少なくとも部分的に、所定のコードを用いて前記信号の相互相関を実行することによって、前記基準信号を処理するように構成される、Ｃ３０に記載のＵＥ。
［Ｃ３２］  前記処理ユニットは、前記基準信号を前記処理することに基づいて、前記基準信号が前記ＵＥによって受信された時間を決定するように構成される、Ｃ３０に記載のＵＥ。
［Ｃ３３］  前記処理ユニットは、さらに少なくとも部分的に、ロケーションサーバから、前記割り振られた周波数帯域のインジケーションを受信することによって、その間に前記基準信号が送信されることになる、前記１つまたは複数のリソースブロックの、前記１つまたは複数のシンボルを決定するように構成される、Ｃ３０に記載のＵＥ。
［Ｃ３４］  前記処理ユニットは、
前記複数の不連続サブバンドの各サブバンドについてのオフセット、
前記複数の不連続サブバンドの各サブバンドについての帯域幅、
前記基準信号の周期性、
前記基準信号の持続時間、または
これらの任意の組合せ、
のインジケーションを備える、前記割り振られた周波数帯域の前記インジケーションを受信するように構成される、Ｃ３３に記載のＵＥ。
［Ｃ３５］  デバイスであって、
その間に基準信号が、割り振られた周波数帯域を介して、ワイヤレス電気通信ネットワークにおける基地局によって送信されることになる、１つまたは複数のリソースブロックの、１つまたは複数のシンボルのための手段と、前記割り振られた周波数帯域は、中心周波数を中心とし、最小周波数と最大周波数とを有し、
前記決定された１つまたは複数のシンボル中に、前記割り振られた周波数帯域の一部分上で前記基準信号を受信するための手段と、ここにおいて、前記基準信号の電力は、前記割り振られた周波数帯域の複数の不連続サブバンドを占有し、前記割り振られた周波数帯域の前記複数の不連続サブバンドは、前記割り振られた周波数帯域の前記帯域幅より少ない総帯域幅を有し、
前記基準信号を処理するための手段と
を備えるデバイス。
［Ｃ３６］  前記基準信号を前記処理するための手段は、所定のコードを用いて前記信号の相互相関を実行するための手段を備える、Ｃ３５に記載のデバイス。
［Ｃ３７］  前記基準信号を前記処理することに基づいて、前記基準信号が前記デバイスによって受信された時間を決定するための手段をさらに備える、Ｃ３５に記載のデバイス。
［Ｃ３８］  ロケーションサーバから、前記割り振られた周波数帯域のインジケーションを受信することをさらに備える、その間に前記基準信号が送信されることになる、前記１つまたは複数のリソースブロックの、前記１つまたは複数のシンボルを決定するための手段をさらに備える、Ｃ３５に記載のデバイス。
【国際調査報告】
2021509247.tif 000020
2021509247.tif 000021